(57)【要約】【課題】洗濯水の吐出口が特別な形状、構造でなくとも、洗剤や柔軟剤の効果を向上させるとともに、洗濯物への洗剤残りやしみ等を防止する。【解決手段】洗い工程、すすぎ工程の少なくとも１つの工程の開始時に、循環ポンプ２０の回転速度を水槽３の前端壁３ｈの裏面に設けた噴射口５１から噴射した洗濯水が回転ドラム４内に入ることなく、水槽３の前端壁３ｈと回転ドラム４の前端壁表面４ｂとの間を通って、水槽３の下方に落下する回転速度に制御する水槽内循環工程を実行するので、無用なコスト上昇を抑えつつ洗剤や柔軟材を早期に洗濯水に溶解させ、その後洗濯水を回転ドラム４内に吐出供給するので、洗剤や柔軟剤の効果を向上させるとともに、洗濯物への洗剤残りやしみ等の発生を防止することができる。【選択図】図１
2010075608.tif 000002
【特許請求の範囲】
【請求項１】
有底円筒形に形成された回転ドラムと、前記回転ドラムを、開口する正面側から底部となる背面側に向けて回転軸方向が水平または水平方向から下向き傾斜となるようにして内部に配設する水槽と、前記回転ドラムを回転駆動するモータと、前記モータ等を制御して洗い工程、すすぎ工程の少なくとも１つを実行する制御手段と、前記水槽内の洗濯水を前記水槽に接続した循環経路を通じ、回転速度可変のモータからなる循環ポンプにより循環させる水循環系とを備え、前記水循環系は、前記水槽の前端壁裏面に設けた噴射口から噴射された洗濯水が前記水槽の前端壁裏面と前記回転ドラムの前端壁表面との間の流路を介して前記回転ドラム内に吐出されるようにし、前記制御手段は、前記洗い工程、すすぎ工程の少なくとも１つの工程の開始時に、前記循環ポンプの回転速度を前記噴射口から噴射された洗濯水が回転ドラム内に入ることなく前記水槽の下方に落下する回転速度に制御する水槽内循環工程を設けたことを特徴とするドラム式洗濯機。
【請求項２】
洗い工程、すすぎ工程の少なくとも１つの給水工程で、給水開始から水槽内循環工程を開始するまでに、規定時間もしくは規定水位に到達するまでの遅延時間を設けることを特徴とする請求項１記載のドラム式洗濯機。
【請求項３】
風呂水を吸水して水槽内に前記風呂水を供給する風呂水吸水手段をさらに備え、前記風呂水吸水手段により風呂水を使用して運転する場合は、前記風呂水吸水手段による風呂水の供給終了後に水槽内循環工程を開始することを特徴とする請求項１記載のドラム式洗濯機。
【請求項４】
予約運転を設定する予約運転設定手段をさらに備え、前記予約運転設定手段により予約運転の設定を行った場合の運転時は、水槽内循環工程の時間を予約運転を行わない場合よりも長くすることを特徴とする請求項１記載のドラム式洗濯機。
【請求項５】
水槽内の洗濯水の水温を検知する洗濯水温検知手段をさらに備え、前記洗濯水温検知手段により水温が低いと判断された場合は、水槽内循環工程の時間を水温が高い場合よりも長くすることを特徴とする請求項１記載のドラム式洗濯機。
【発明の詳細な説明】
【技術分野】
【０００１】
本発明は、有底円筒形に形成された回転ドラムを、開口する正面側から底部となる背面側に向けて回転軸方向が水平または水平方向から下向き傾斜となるようにして水槽内に設置し、回転ドラムを回転駆動することにより回転ドラム内に収容した洗濯物を洗濯するドラム式洗濯機に関するものである。
【背景技術】
【０００２】
このようなドラム式洗濯機で、水槽内の水を循環ポンプで循環させる循環機能を有したものが既に知られている（例えば、特許文献１〜４参照）。
【０００３】
特許文献１は、１つのポンプを洗い工程やすすぎ工程では循環ポンプとして用い、すすぎ水や洗濯水を循環させ、洗濯工程初期では洗剤と洗濯水の積極的な攪拌、洗剤の早期溶け込みを図り、脱水や排水工程では排水ポンプとして用いる技術を開示しており、循環経路の循環ポンプ吸水側途中にフィルタケースを設けて、吸水中の夾雑物を捕集するようにもしている。これにより循環ポンプに夾雑物が入り込まなくなる。
【０００４】
特許文献２は、水槽内の水を循環ポンプで循環させることにより、洗剤がヒータ設置空間または特定空間に集まる現象を防止し、併せ、洗濯前に該当の洗濯物を迅速に加熱して洗濯効率を高められる技術を開示している。
【０００５】
特許文献３は、循環ポンプ部と糸屑類の洗濯屑を捕獲するフィルタリング部とを備えた循環ポンプユニットを洗濯機の外箱の底部である台板に設けて、水槽内の洗濯水を循環させるのに、弾性クッションを介して台板に設け、ポンプモータの振動が台板に伝播するのを防止し、結果、ポンプモータの振動と外箱の振動とが共振することで起こる騒音を防げるようにした技術を開示している。
【０００６】
特許文献４は、水槽内の水を回転ドラム内に加え、乾燥用のヒータまわりに噴射してヒータまわりに付着した糸屑類を除去できるようにした技術を開示している。
【特許文献１】特開平１１−２７６７９１号公報
【特許文献２】特開２００５−５８７４１号公報
【特許文献３】特開２００６−２２３５７２号公報
【特許文献４】特開２００６−２３９１４２号公報
【発明の開示】
【発明が解決しようとする課題】
【０００７】
しかし、特許文献１〜３に開示の水循環技術はいずれも、洗濯水を配管端から回転ドラム内のみに噴射するようにしているので、洗い工程初期に洗剤が完全に溶解しきれていない洗剤液を直接回転ドラム内の洗濯物に噴射することになり、洗濯終了後に洗濯物表面および内部に洗剤が溶け残る場合があった。また、すすぎ工程初期に柔軟剤を投入する場合も、濃度の濃い柔軟剤が直接回転ドラム内の洗濯物に噴射されることにより、洗濯物にしみ等がつく場合もあった。一方、特許文献４に記載の技術は回転ドラム外部にも噴射できる特別な噴射ノズルを採用しているが、配管構造がさらに複雑になりさらなるコスト上昇の要因になっていた。
【０００８】
本発明の主たる目的は、複雑な構造を用いることなく、無用なコスト上昇を抑えつつ洗剤や柔軟材を早期に洗濯水に溶解させ、その後洗濯水を回転ドラム内に供給するので洗剤や柔軟剤の効果を向上させるとともに、洗濯物への洗剤残りやしみ等を防止することがで
きるドラム式洗濯機を提供することにある。
【課題を解決するための手段】
【０００９】
上記目的を達成するために本発明に係るドラム式洗濯機は、有底円筒形に形成された回転ドラムと、前記回転ドラムを、開口する正面側から底部となる背面側に向けて回転軸方向が水平または水平方向から下向き傾斜となるようにして内部に配設する水槽と、前記回転ドラムを回転駆動するモータと、前記モータ等を制御して洗い工程、すすぎ工程の少なくとも１つを実行する制御手段と、前記水槽内の洗濯水を前記水槽に接続した循環経路を通じ、回転速度可変のモータからなる循環ポンプにより循環させる水循環系とを備え、前記水循環系は、前記水槽の前端壁裏面に設けた噴射口から噴射された洗濯水が前記水槽の前端壁裏面と前記回転ドラムの前端壁表面との間の流路を介して前記回転ドラム内に吐出されるようにし、前記制御手段は、前記洗い工程、すすぎ工程の少なくとも１つの工程の開始時に、前記循環ポンプの回転速度を前記噴射口から噴射された洗濯水が回転ドラム内に入ることなく前記水槽の下方に落下する回転速度に制御する水槽内循環工程を設けたことを特徴としている。
【００１０】
これによって、循環系がその循環ポンプおよび循環経路によって洗い工程またはすすぎ工程などにて水槽内の水を吸引して水槽内に戻して循環させるのに、循環経路は水槽の前端壁に接続するだけで水槽および回転ドラムの各前端壁間で形成した流路に繋がって、この流路を通じ特別な配管なしに、前記各前端壁の内周部間で形成する環状出口から回転ドラム内に洗濯水を吐出させられ、また、洗い工程、すすぎ工程の少なくとも１つの工程の開始時に、前記循環ポンプの回転速度を変えることで洗濯水を回転ドラム内に吐出させずに、回転ドラム外の水槽内のみで洗濯水を循環させる水槽内循環工程を実行するので、回転ドラム外の水槽内で洗剤や柔軟剤を早期に洗濯水に溶解しその濃度を均一にした後に、循環する洗濯水を回転ドラム内に供給するので、無用なコスト上昇を抑えつつ洗剤や柔軟材を早期に洗濯水に溶解させ、その後洗濯水を回転ドラム内に吐出供給するので、洗剤や柔軟剤の効果を向上させるとともに、洗濯物への洗剤残りやしみ等を防止することができる。
【発明の効果】
【００１１】
本発明のドラム式洗濯機によれば、洗濯水の吐出口が特別な形状、構造でなくとも、循環ポンプの回転速度を変えることで、無用なコスト上昇を抑えつつ洗剤や柔軟材を早期に洗濯水に溶解させ、その後洗濯水を回転ドラム内に吐出供給するので、洗剤や柔軟剤の効果を向上させるとともに、洗濯物への洗剤残りやしみ等を防止することができる。
【発明を実施するための最良の形態】
【００１２】
第１の発明は、有底円筒形に形成された回転ドラムと、前記回転ドラムを、開口する正面側から底部となる背面側に向けて回転軸方向が水平または水平方向から下向き傾斜となるようにして内部に配設する水槽と、前記回転ドラムを回転駆動するモータと、前記モータ等を制御して洗い工程、すすぎ工程の少なくとも１つを実行する制御手段と、前記水槽内の洗濯水を前記水槽に接続した循環経路を通じ、回転速度可変のモータからなる循環ポンプにより循環させる水循環系とを備え、前記水循環系は、前記水槽の前端壁裏面に設けた噴射口から噴射された洗濯水が前記水槽の前端壁裏面と前記回転ドラムの前端壁表面との間の流路を介して前記回転ドラム内に吐出されるようにし、前記制御手段は、前記洗い工程、すすぎ工程の少なくとも１つの工程の開始時に、前記循環ポンプの回転速度を前記噴射口から噴射された洗濯水が回転ドラム内に入ることなく前記水槽の下方に落下する回転速度に制御する水槽内循環工程を設けたことを特徴とするドラム式洗濯機とすることにより、循環系がその循環ポンプおよび循環経路によって洗い工程またはすすぎ工程などにて水槽内の水を吸引して水槽内に戻して循環させるのに、循環経路は水槽の前端壁に接続するだけで水槽および回転ドラムの各前端壁間で形成した流路に繋がって、この流路を通
じ特別な配管なしに、前記各前端壁の内周部間で形成する環状出口から回転ドラム内に洗濯水を吐出させられ、また、洗い工程、すすぎ工程の少なくとも１つの工程の開始時に、前記循環ポンプの回転速度を変えることで洗濯水を回転ドラム内に吐出させずに、回転ドラム外の水槽内のみで洗濯水を循環させる水槽内循環工程を実行するので、回転ドラム外の水槽内で洗剤や柔軟剤を早期に洗濯水に溶解しその濃度を均一にした後に、循環する洗濯水を回転ドラム内に供給するので、無用なコスト上昇を抑えつつ洗剤や柔軟材を早期に洗濯水に溶解させ、その後洗濯水を回転ドラム内に吐出供給するので、洗剤や柔軟剤の効果を向上させるとともに、洗濯物への洗剤残りやしみ等の発生を防止することができる。
【００１３】
第２の発明は、特に、第１の発明において、洗い工程、すすぎ工程の少なくとも１つの給水工程で、給水開始から水槽内循環工程を開始するまでに、規定時間もしくは規定水位に到達するまでの遅延時間を設けることを特徴とすることにより、循環ポンプ内に十分な水が入っていない状態で循環ポンプを駆動することや、使用者が給水栓を開け忘れていた場合に循環ポンプ内に水が全く無い状態で循環ポンプを駆動し続けることを避けることができる。これにより、循環ポンプ内の水が少ないことで起こる泡がみ音などの異音の発生や、循環ポンプが長時間駆動し続けることによる異常温度への上昇などを回避できるので、循環ポンプの信頼性を向上させることができる。
【００１４】
第３の発明は、特に、第１の発明において、風呂水を吸水して水槽内に前記風呂水を供給する風呂水吸水手段をさらに備え、前記風呂水吸水手段により風呂水を使用して運転する場合は、前記風呂水吸水手段による風呂水の供給終了後に水槽内循環工程を開始することを特徴とすることにより、風呂水吸水手段と循環ポンプが同時に駆動することで生じる通常よりも大きな駆動音で使用者に不快感を与えることを回避できる。
【００１５】
第４の発明は、特に、第１の発明において、予約運転を設定する予約運転設定手段をさらに備え、前記予約運転設定手段により予約運転の設定を行った場合の運転時は、水槽内循環工程の時間を、予約運転を行わない場合よりも長くすることを特徴とすることにより、水槽内循環工程中に、予約待機中に固化しがちな洗剤を十分に溶解することができ、洗浄力の低下や洗濯物への洗剤残り等を回避することができる。
【００１６】
第５の発明は、特に、第１の発明において、水槽内の洗濯水の水温を検知する洗濯水温検知手段をさらに備え、前記洗濯水温検知手段により水温が低いと判断された場合は、水槽内循環工程の時間を、水温が高い場合よりも長くすることを特徴とすることにより、洗濯水の水温が低い場合でも、洗剤を十分に溶解することができ、洗浄力の低下や洗濯物への洗剤残り等を回避することができる。
【００１７】
以下、本発明の実施の形態について、図面を参照しながら説明する。なお、この実施の形態によって本発明が限定されるものではない。
【００１８】
（実施の形態１）
本実施の形態１のドラム式洗濯機は、図１に示すように、洗濯機本体２の内部に揺動自在に水槽３が配設され、水槽３内には、回転ドラム４が回転自在に配設され、回転ドラム４は、水槽３の背面に外側より取り付けられたモータ６により回転駆動される。
【００１９】
また、本実施の形態１のドラム式洗濯機は、モード設定や制御プログラムに従い、図１に示すモータ６、給水系７、排水系８、乾燥系９を自動制御して少なくとも洗い工程、すすぎ工程、脱水工程、乾燥工程を行う機能を有したいわゆるドラム式洗濯乾燥機を構成している。しかし、乾燥系９は省略することができる。
【００２０】
給水系７は電磁弁（図示せず）の開閉によって実線矢印で示すように適時に給水でき、
また給水を利用して洗剤収容部７ａの洗剤を水槽３内に適時に投入できるようになっている。
【００２１】
排水系８は、排水弁１９の開閉によって洗い工程終了時、すすぎ工程終了時など必要なときに一点鎖線矢印で示すように、水槽３の下部に接続された排水管８ａを介し、糸屑類を捕集し外部から取り外し可能の排水フィルタ８ｂを通過した後、排水できるようになっている。
【００２２】
乾燥系９は、水槽３および回転ドラム４内の空気を送風機１２によって図１の破線矢印で示すように循環させる。乾燥系９内には、糸屑類を捕集し除塵するフィルタ（図示せず）、除塵後の導入空気を除湿する除湿部（図示せず）、除湿後の空気を加熱して渇いた高温空気とする加熱部（図示せず）等を有する。
【００２３】
また、上記に加え、洗い工程時、すすぎ工程時など必要に応じ、水循環系１６にて水槽３内の水を循環させて、洗いやすすぎの機能向上を図る機能も有している。この循環系１６は、循環ポンプ２０を駆動させることで、水槽３内の水を、排水管８ａを介し、排水フィルタ８ｂを通過させ、水循環経路３１の循環ポンプ２０への流入側経路３１ａ、循環ポンプ２０および水循環経路３１の循環ポンプ２０からの吐出側経路３１ｂを介して、水槽３内に戻すことを繰り返す。
【００２４】
また、運転コース等のモードや各種機能の選択は、洗濯機本体２の前面上部に設けられる操作パネル２１から入力して行い、制御系２２がその入力情報を基に操作パネル２１上の表示手段で表示して使用者に知らせるとともに、操作パネル２１での入力設定手段により運転開始が設定されると、水槽３内の水位を検知する水位検知手段等からのデータを入力して駆動を開始して、排水弁、給水弁などの動作を制御し、洗濯、脱水、乾燥などの運転を行う。
【００２５】
また、循環ポンプ２０は、図１に示すように、洗濯機本体２の底部である台板２ａ上に固定している。具体的には、循環ポンプ２０は、図２に示すように、インペラ２０ａを収容した樹脂製のポンプケーシング２０ｂがその開口側で、循環モータ２０ｃの金属製のモータケーシング２０ｄの前端にある軸受隔壁２０ｄ１に当てがって一体化し、インペラ２０ａをモータ軸２０ｅに直結したものとしてあり、これを樹脂製の取り付け座３５に嵌め付けてある。取り付け座３５はその周辺３か所にほぼＣ型の取り付け片３５ａを有し、これら取り付け片３５ａを台板２ａ上のボス部（図示せず）にボルト（図示せず）をねじ込むことにより取り付けている。
【００２６】
また、水循環経路３１の吐出側経路３１ｂは図１および図３に示すように、水槽３の開口１３まわりの前端壁３ｈの最下部に設けた図３に示す噴射口５１に外面から接続して、図１の矢印ａのように、水槽３の前端壁３ｈの裏面とこれに対応する回転ドラム４の前端壁４ｂの表面との間に吐出側経路３１ｂからの洗濯水を噴射し、それらの間で形成する流路５２を通じて回転ドラム４内に吐出するようにしてある。このときの循環ポンプ２０のモータ回転速度は、例えば３５００ｒｐｍに設定している。これにより、吐出側経路３１ｂからの水の噴射口５１が回転ドラム４内の洗濯物と接触しない位置にあるので、洗濯物が引っ掛かって洗濯やすすぎ、乾燥などに必要な挙動を乱したり、あるいは洗濯物を傷めたり、破れたりするようなことを防止することができるし、見栄えのよい外観が損なわれない。併せ、流路５２は水槽３および回転ドラム４の前端壁３ｈ、４ｂ間で形成しているため、特別な部品が不要でシール部材５６を用いる程度の構造が簡単かつ安価で水漏れのリスクが低減する。
【００２７】
しかも噴射口５１は、水槽３の前端壁３ｈの裏面において図３（ｃ）に示すように回転
ドラム４の回転中心方向、具体的には、水槽３および回転ドラム４の前端壁３ｈ、４ｂ間の流路５２における環状出口５３に向かって開口しているので、噴射口５１から噴射する洗濯水は流路５２を回転ドラム４の回転中心側、具体的には環状出口５３に向かって径方向に回転ドラム４の内側回転域に効率よく吐出させられ、洗濯物の多少にかかわらず洗濯水を効率よく供与できる。特に、水槽３の前端壁３ｈは噴射口５１に対応する位置から内周近くに向かって洗濯機本体２の後部側に傾斜した傾斜面３ｈ１およびこの傾斜面３ｈ１から内周まで、回転ドラム４の開口５４側に向け湾曲した湾曲面３ｈ２を有していることにより、流路５２に噴射される洗濯水を図３（ｃ）に示すように、傾斜面３ｈ１から湾曲面３ｈ２に沿わせて、回転ドラム４の開口５４を通じ回転ドラム４の奥側に向け吐出させられるので、洗濯水の洗濯物への供与効率を高められる。
【００２８】
ここで、水循環系１６の構造としては、水槽３の前端壁３ｈの吐出側経路３１ｂが接続される接続口５１ａから洗濯水を流路５２に噴射させる噴射口５１は、流路５２へ回転ドラム４の回転中心側に向け周方向の所定範囲で開口したものとしている。このように、水槽３の前端壁３ｈに接続口５１ａを設けるのに、流路５２に向いて開口する噴射口５１を形成することで、吐出側経路３１ｂからの洗濯水を、噴射５１口を通じ流路５２側に乱れなく案内して、回転ドラム４内に環状出口５３の噴射口５１の周方向域に対応した所定域から所定の方向に左右への広がりを伴い安定して吐出させられる。結果、水槽３の前端壁３ｈの吐出側経路３１ｂを接続する接続口５１ａから流入する洗濯水を、接続口５１に併せ設けられて流路５２に向き開口する噴射口５１により、噴射口５１の周方向域に対応した開口を通じ流路５２側に乱れなく案内して、環状出口５３の噴射口５１に対応する周方向の所定域から所定の方向に左右への広がりを伴い安定して吐出させて、回転ドラム４内の洗濯物にその多少にかかわらず有効に働かせさられる。
【００２９】
また、噴射口５１は、接続口５１ａに接続される吐出側経路３１ｂの接続端部５５ｄとの間で、洗濯水を流路５２への開口部に案内するようにしている。これにより、吐出側経路が接続される接続口に設けた噴射口が洗濯水を前記流路の側に案内するのに、吐出側経路の接続口への接続端部と協働した相互の簡単形状での合わせ形態にて、好適な案内条件を満足できる。結果、接続口５１ａに設けた噴射口５１により流入する洗濯水を流路５２の側に案内するのに、吐出側経路３１ｂの接続口５１ａへの接続端部５５ｄとの簡単形状での合わせ形態により、周方向に大きな吐出流幅、前後方向に十分な吐出流厚み、着水距離を大きくできる吐出流速度など、洗濯物の多少にかかわらず好適に働く条件を満足する案内ができ、しかも、配管構造は特に複雑化せず漏水リスクの増大がなく、コスト上昇の原因にもならない。結果、接続口５１ａに続いて設けた噴射口５１により流入する洗濯水を流５２路の側に案内するのに、吐出側経路３１ｂの接続口５１ａへの接続端部５５ｄとの簡単形状での合わせ形態により、周方向に大きな吐出流幅、前後方向に十分な吐出流厚み、着水距離を大きくできる吐出流速度など、洗濯物の多少にかかわらず好適に働く条件を満足する案内ができ、しかも、配管構造は特に複雑化せず漏水リスクの増大がなく、コスト上昇の原因にもならない。
【００３０】
また、噴射口５１は、図３（ａ）に示すように水槽３の前端壁３ｈの底部のほぼ中心位置に開口し、この噴射口５１と吐出側経路３１とを図３に示す樹脂製のダクト５５部によって接続してある。このダクト５５は前後部材５５ａ、５５ｂ二枚合せにして前後に扁平に形成してある。吐出側経路３１ｂは噴射口５１の開口位置に対し左右方向一方に偏って循環ポンプ２０から水槽３の軸線とほぼ平行に前方へ延び、ダクト５５はパイプ状の吐出側経路３１ｂの前端と噴射口５１とを後部材５５ａ一端に一体形成した接続パイプ５５ｃで吐出側経路３１ｂにその延長部として接続され、この一端側から噴射口５１の下方近くにまでほぼ水平に延びた後、他端側が噴射口５１まで湾曲して立ち上がり、図３（ｃ）に示すように立ち上がり部５５ｄの後部材５５ａに一体成形した接続口５５ｅによって噴射口５１の水槽３の前端壁３ｈに開口する接続口５１ａにシール部材５６を介し接続しねじ
５７でねじ止めし固定してある。このように、水槽３の前端壁３ｈの接続口５１ａとの接続端部５５ｄから水槽３の外周へ張り出し循環ポンプ２０側に接続されるダクト５５部を前後に扁平なものとしてあると、水槽３の前端壁３ｈと洗濯機本体２の前面壁との間に小さなスペースで配管できる。しかも、ダクト５５の扁平形状によって洗濯水に噴射口５１の開口などに見合う水流幅、水流厚みに整流して、接続口５１ａから噴射口５１に向かわせ流路５２に噴射されるようにし、環状出口５３からの大きな周方向吐出幅、前後方向に十分な吐出厚み、着水距離を大きくできる吐出速度域を、流れに乱れなく満足することができ、洗濯、すすぎ効果をさらに高められる。また、ダクト５５部が、水槽３の外周から前端壁３ｈ下部の噴射口５１の接続口５１ａ近くの下まで横方向に延び、そこから接続口までの湾曲した立ち上がり部にて接続口５１ａに接続されているため、扁平流に整流した洗濯水を立ち上がり部の湾曲形状にて乱すことなく接続口５１ａ、および扁平方向が一致した噴射口５１に導き、流路５２の周方向所定域に噴射させるので、環状出５３のより広域からより安定して吐出させられ、洗濯水の洗濯物への働きを高められる。
【００３１】
特に、噴射口５１は、水槽３の前端壁３ｈに開口する接続口５１ａからこれに平行で回転ドラム４の前端壁４ｂ側に寄って一体形成された受け止め壁５１ｃによって、接続口５１ａの口縁上部との間で環状出口５３に向け開口するように形成され、接続口５５ｄは受け止め壁５１ｃとの間で、噴射口５１に向け噴射通路をダクト５５側からアール面にて滑らかに絞る絞り壁５５ｆを備え、ダクト５５から噴射口５１に向かう洗濯水を加勢し、水槽３の前端壁３ｈの裏面の傾斜面３ｈ１および湾曲面３ｈ２に強く沿わせた高速流とするので、回転ドラム４内へ上方斜め後方に所定の経路で確実に吐出し左右に広がりながら放物線を描くより長い飛翔経路にて回転ドラム４内の洗濯物により広域から供与できるようになる。しかし、前記高速流とするための絞り通路はダクト５５の接続口５１ａへの接続端部と噴射口５１との間でどのように形成されてもよい。つまり、接続口５１ａに設けた噴射５１により流入する洗濯水を流路５２の側に案内するのに、吐出側経５１ｂの接続口５１への接続端部５５との簡単形状での合わせ形態により、周方向に大きな吐出流幅、前後方向に十分な吐出流厚み、着水距離を大きくできる吐出流速度など、洗濯物の多少にかかわらず好適に働く条件を満足する案内ができ、しかも、配管構造は特に複雑化せず漏水リスクの増大がなく、コスト上昇の原因にもならない。
【００３２】
また、回転ドラム４の前端壁４ｂには図３（ｃ）に示すように流路５２を傾斜面３ｈ１との間に絞り隙間Ｓを残して周方向に横切る環状のリブ状凸部４ｃが形成されている。さらに、このリブ状凸部４ｃはその位置が径方向に波打ち状に変化している。このため、リブ状凸部４ｃは回転ドラム４が回転すると噴射口５１近傍での流路５２に対する横切り位置、つまり絞り隙間Ｓの形成位置を図３（ｃ）に３つの具体的位置で示すように径方向に変位させる。この結果、流路５２を環状出口５３に向かう洗濯水流は環状出口５３近くで絞り隙間Ｓにより絞られる場合と、環状出口５３から遠い位置で絞り隙間Ｓに絞られる場合とで、回転ドラム４内に向かう角度が上下に振れるので、回転ドラム４の軸線方向の広域に洗濯水を振り分け洗濯物に供与することができる。
【００３３】
ここに、リブ状凸部４ｃは、回転ドラム４の前端壁３ｈ側に周方向に不均一に設けた吐出ガイドで、流路５２に噴射され環状出口５３から回転ドラム４内に吐出される洗濯水の吐出方向を前後に乱し、あるいは変化させ、吐出した洗濯水が回転ドラム４内への洗濯物に着水する位置が前後に乱し、または変化させるものといえ、このような吐出ガイドとしては、吐出ガイドは、周方向に波打ちした内周、周方向に前後に波打ちした壁面、前記流路側に突出し周方向に波打ちし、またはおよび断続したリブ状凸部または羽根、前記流路を通って噴射される洗濯水の通過抵抗を周方向に変化させる邪魔部、の少なくとも１つとして吐出方向を前後に乱しまたは変化させる作用を営むことができ、可能な限りそれらを複合して採用することができる。
【００３４】
これら放物線供与作用、前後振り分け作用によって洗濯水は洗濯物に前後方向にも偏りなく働き、洗剤の溶かし込効果、洗濯効果、すすぎ効果を高められる。
【００３５】
ところで、既述したように、洗濯水を噴射口５１から回転ドラム４内のみに単純に噴射するようにした場合、洗い工程の初期においては、洗剤が完全に溶解しきれていない洗濯水を直接、回転ドラム４内の洗濯物に噴射することになり、洗濯終了時において、洗濯物表面および内部に洗剤が溶け残る場合がある。また、すすぎ工程の初期に柔軟剤を投入する場合においても、濃度の濃い柔軟剤が直接、回転ドラム４内の洗濯物に噴射されることになり、この濃度の濃い柔軟材により、洗濯物にしみ等がつく場合もある。一方、それを防止するために、回転ドラム４の外部にも噴射できる特別な噴射ノズルを採用すると、配管構造がさらに複雑になり、さらなるコスト上昇の原因になる。
【００３６】
そこで、本実施の形態１では、水槽３内の水を循環ポンプ２０により循環させるのに、例えば回転速度制御が可能であるＤＣブラシレスモータを用いて、洗い工程、すすぎ工程の少なくとも１つの工程の開始時に、循環ポンプ２０の回転速度を噴射口５１から噴射した洗濯水が回転ドラム４内に入ることなく、図１の矢印ｂのように、受け止め壁５１ｃと回転ドラム４の前端壁表面４ｂとの間を通って、水槽３の下方に落下する回転速度に制御する水槽内循環工程を設けている。このときの循環ポンプ２０のモータ回転速度は、例えば１０００ｒｐｍに設定している。この水槽内循環工程を実行することで、回転ドラム４の外側にある水槽３と水循環系１６とで洗濯水を循環させることができる。
【００３７】
この結果、水槽内循環工程において、循環ポンプ２０により水槽３と水循環系１６とで洗濯水を循環させることで、洗剤や柔軟剤を早期に洗濯水に溶解し、その濃度を均一にすることができる。そして、洗濯水の濃度が均一になった後に、循環ポンプ２０の回転速度を、噴射口５１から吐出した洗濯水が回転ドラム４内の洗濯物に供給する回転速度に上昇させることで、洗剤や柔軟剤の効果を向上させるとともに、洗濯物への洗剤残りや高濃度の柔軟剤が直接洗濯物に付着することによるしみ等の発生を防止することができる。
【００３８】
また、洗い工程、すすぎ工程の少なくとも１つの工程の給水工程の初期においては、給水開始から水槽内循環工程を開始するまでに、例えば１０秒経過するか、もしくは水位が水槽３の下端から４０ｍｍ程度に到達するまでの遅延時間を設けることで、循環ポンプ２０内に十分な水が入っていない状態で循環ポンプ２０駆動することや、使用者が給水栓を開け忘れていた場合においては循環ポンプ２０内に水が全く無い状態で循環ポンプ２０を駆動し続けることを防ぐことができる。
【００３９】
これにより、循環ポンプ２０内の水が少ないことで起こる泡がみ音などの異音の発生や、循環ポンプ２０内に水が全く無い状態で循環ポンプ２０が長時間駆動し続けることによる異常温度上昇などを回避することができるので、循環ポンプの信頼性を向上させることができる。
【００４０】
また、本実施の形態１においては、風呂水を吸水して水槽３内に風呂水を供給する風呂水吸水手段７ｂを設けている。この風呂水吸水手段７ｂにより、風呂水を使用して運転する場合は、風呂水吸水手段７ｂの運転終了後に循環ポンプ２０を駆動することにより、風呂水吸水手段７ｂと循環ポンプ２０が同時に駆動することを防止する。
【００４１】
これにより、風呂水吸水手段７ｂと循環ポンプ２０の２つのモータが同時に駆動することで生じる通常よりも大きな駆動音を防止することができ、使用者に不快感を与えることを回避することができる。
【００４２】
また、本実施の形態１においては、予約運転を設定する予約運転設定手段（図示せず）
を設けている。この予約運転設定手段により予約運転の設定を行った場合の運転時は、水槽内循環工程の時間を、予約運転を行わない場合と比べ、例えば２倍に長くすることで、予約待機中に固化しがちな洗剤を十分に溶解できる。
【００４３】
これにより、予約運転時も十分な洗浄力を得るとともに、洗濯物への洗剤残り等を回避することができる。
【００４４】
また、本実施の形態１においては、水槽３内の洗濯水の水温を検知する洗濯水温検知手段（図示せず）を設けている。この洗濯水温検知手段により、例えば５℃程度と水温が低いと判断された場合は、水槽内循環工程の時間を、例えば２０℃程度と水温が通常と判断された場合と比べ、例えば２倍程度に長くすることで、低水温時でも洗剤を十分に溶解することができる。
【００４５】
これにより、洗浄力が低下したり、洗濯物に洗剤残り等が起こりやすい水温が低い場合でも、十分な洗浄力を得るとともに、洗濯物への洗剤残り等を回避することができる。
【００４６】
なお、本実施の形態では、水槽３内の水を循環させるのに循環ポンプ２０を洗濯機本体２の底部である台板２ａ上に設置する構成としたが、これに限定されるものではなく、循環ポンプ２０を水槽３の下部３ｂに設置する構成でも良く、同等の効果を奏することができる。
【産業上の利用可能性】
【００４７】
本発明にかかるドラム式洗濯機は、洗い工程、すすぎ工程の少なくとも１つの工程の開始時に、循環ポンプの回転速度を洗濯水が回転ドラム内に入ることなく水槽の下方に落下する回転速度に制御する水槽内循環工程を設けたので、回転ドラム外の水槽内で洗剤や柔軟剤を早期に洗濯水に溶解しその濃度を均一にした後に、循環する洗濯水を回転ドラム内に供給するので、無用なコスト上昇を抑えつつ洗剤や柔軟材を早期に洗濯水に溶解させ、その後洗濯水を回転ドラム内に吐出供給するので、洗剤や柔軟剤の効果を向上させるとともに、洗濯物への洗剤残りやしみ等の発生を防止する効果を有し、有底円筒形に形成された回転ドラムを、開口する正面側から底部となる背面側に向けて回転軸方向が水平または水平方向から下向き傾斜となるようにして水槽内に設置し、回転ドラムを回転駆動することにより回転ドラム内に収容した洗濯物を洗濯するドラム式洗濯機として有用である。
【図面の簡単な説明】
【００４８】
【図１】本発明の実施の形態１に係るドラム式洗濯機の断面図
【図２】（ａ）同ドラム式洗濯機に用いた循環ポンプの断面図（ｂ）同ドラム式洗濯機に用いた循環ポンプの側面図（ｃ）同ドラム式洗濯機に用いた循環ポンプの下面図
【図３】（ａ）同ドラム式洗濯機の水循環経路の吐出側経路を水槽に接続するダクトを示す正面図（ｂ）同ドラム式洗濯機の水循環経路の吐出側経路を水槽に接続するダクトを示す横断面図（ｃ）同ドラム式洗濯機の水循環経路の吐出側経路を水槽に接続するダクトを示す縦断面図
【符号の説明】
【００４９】
３  水槽
３ｈ  前端壁
４ｂ  前端壁表面
２０  循環ポンプ
５１  噴射口
【図１】
2010075608.tif 000003
【図２】
2010075608.tif 000004
【図３】
2010075608.tif 000005
【手続補正書】
【提出日】平成21年1月9日(2009.1.9)
【手続補正１】
【補正対象書類名】特許請求の範囲
【補正対象項目名】全文
【補正方法】変更
【補正の内容】
【特許請求の範囲】
【請求項１】
有底円筒形に形成された回転ドラムと、前記回転ドラムを、開口する正面側から底部となる背面側に向けて回転軸方向が水平または水平方向から下向き傾斜となるようにして内部に配設する水槽と、前記回転ドラムを回転駆動するモータと、前記モータ等を制御して洗い工程、すすぎ工程の少なくとも１つを実行する制御手段と、前記水槽内の洗濯水を前記水槽に接続した循環経路を通じ、回転速度可変のモータからなる循環ポンプにより循環させる水循環系とを備え、前記水循環系は、前記水槽の前端壁裏面に設けた噴射口から噴射された洗濯水が前記水槽の前端壁裏面と前記回転ドラムの前端壁表面との間を通り、前記水槽の前端壁の内周部と前記回転ドラムの内周部との間により形成している環状出口から前記回転ドラム内に吐出されるようにし、前記制御手段は、前記洗い工程、すすぎ工程の少なくとも１つの工程の開始時に、前記循環ポンプの回転速度を前記噴射口から噴射された洗濯水が回転ドラム内に入ることなく前記水槽の下方に落下する回転速度に制御する水槽内循環工程を設けたことを特徴とするドラム式洗濯機。
【請求項２】
洗い工程、すすぎ工程の少なくとも１つの給水工程で、給水開始から水槽内循環工程を開始するまでに、規定時間もしくは規定水位に到達するまでの遅延時間を設けることを特徴とする請求項１記載のドラム式洗濯機。
【請求項３】
風呂水を吸水して水槽内に前記風呂水を供給する風呂水吸水手段をさらに備え、前記風呂水吸水手段により風呂水を使用して運転する場合は、前記風呂水吸水手段による風呂水の供給終了後に水槽内循環工程を開始することを特徴とする請求項１記載のドラム式洗濯機。
【請求項４】
予約運転を設定する予約運転設定手段をさらに備え、前記予約運転設定手段により予約運転の設定を行った場合の運転時は、水槽内循環工程の時間を予約運転を行わない場合よりも長くすることを特徴とする請求項１記載のドラム式洗濯機。
【請求項５】
水槽内の洗濯水の水温を検知する洗濯水温検知手段をさらに備え、前記洗濯水温検知手段により水温が低いと判断された場合は、水槽内循環工程の時間を水温が高い場合よりも長くすることを特徴とする請求項１記載のドラム式洗濯機。
【手続補正２】
【補正対象書類名】明細書
【補正対象項目名】全文
【補正方法】変更
【補正の内容】
【発明の詳細な説明】
【技術分野】
【０００１】
本発明は、有底円筒形に形成された回転ドラムを、開口する正面側から底部となる背面側に向けて回転軸方向が水平または水平方向から下向き傾斜となるようにして水槽内に設置し、回転ドラムを回転駆動することにより回転ドラム内に収容した洗濯物を洗濯するドラム式洗濯機に関するものである。
【背景技術】
【０００２】
このようなドラム式洗濯機で、水槽内の水を循環ポンプで循環させる循環機能を有したものが既に知られている（例えば、特許文献１〜４参照）。
【０００３】
特許文献１は、１つのポンプを洗い工程やすすぎ工程では循環ポンプとして用い、すすぎ水や洗濯水を循環させ、洗濯工程初期では洗剤と洗濯水の積極的な攪拌、洗剤の早期溶け込みを図り、脱水や排水工程では排水ポンプとして用いる技術を開示しており、循環経路の循環ポンプ吸水側途中にフィルタケースを設けて、吸水中の夾雑物を捕集するようにもしている。これにより循環ポンプに夾雑物が入り込まなくなる。
【０００４】
特許文献２は、水槽内の水を循環ポンプで循環させることにより、洗剤がヒータ設置空間または特定空間に集まる現象を防止し、併せ、洗濯前に該当の洗濯物を迅速に加熱して洗濯効率を高められる技術を開示している。
【０００５】
特許文献３は、循環ポンプ部と糸屑類の洗濯屑を捕獲するフィルタリング部とを備えた循環ポンプユニットを洗濯機の外箱の底部である台板に設けて、水槽内の洗濯水を循環させるのに、弾性クッションを介して台板に設け、ポンプモータの振動が台板に伝播するのを防止し、結果、ポンプモータの振動と外箱の振動とが共振することで起こる騒音を防げるようにした技術を開示している。
【０００６】
特許文献４は、水槽内の水を回転ドラム内に加え、乾燥用のヒータまわりに噴射してヒータまわりに付着した糸屑類を除去できるようにした技術を開示している。
【特許文献１】特開平１１−２７６７９１号公報
【特許文献２】特開２００５−５８７４１号公報
【特許文献３】特開２００６−２２３５７２号公報
【特許文献４】特開２００６−２３９１４２号公報
【発明の開示】
【発明が解決しようとする課題】
【０００７】
しかし、特許文献１〜３に開示の水循環技術はいずれも、洗濯水を配管端から回転ドラム内のみに噴射するようにしているので、洗い工程初期に洗剤が完全に溶解しきれていない洗剤液を直接回転ドラム内の洗濯物に噴射することになり、洗濯終了後に洗濯物表面および内部に洗剤が溶け残る場合があった。また、すすぎ工程初期に柔軟剤を投入する場合も、濃度の濃い柔軟剤が直接回転ドラム内の洗濯物に噴射されることにより、洗濯物にしみ等がつく場合もあった。一方、特許文献４に記載の技術は回転ドラム外部にも噴射できる特別な噴射ノズルを採用しているが、配管構造がさらに複雑になりさらなるコスト上昇の要因になっていた。
【０００８】
本発明の主たる目的は、複雑な構造を用いることなく、無用なコスト上昇を抑えつつ洗剤や柔軟材を早期に洗濯水に溶解させ、その後洗濯水を回転ドラム内に供給するので洗剤や柔軟剤の効果を向上させるとともに、洗濯物への洗剤残りやしみ等を防止することができるドラム式洗濯機を提供することにある。
【課題を解決するための手段】
【０００９】
上記目的を達成するために本発明に係るドラム式洗濯機は、有底円筒形に形成された回転ドラムと、前記回転ドラムを、開口する正面側から底部となる背面側に向けて回転軸方向が水平または水平方向から下向き傾斜となるようにして内部に配設する水槽と、前記回転ドラムを回転駆動するモータと、前記モータ等を制御して洗い工程、すすぎ工程の少なくとも１つを実行する制御手段と、前記水槽内の洗濯水を前記水槽に接続した循環経路を通じ、回転速度可変のモータからなる循環ポンプにより循環させる水循環系とを備え、前記水循環系は、前記水槽の前端壁裏面に設けた噴射口から噴射された洗濯水が前記水槽の前端壁裏面と前記回転ドラムの前端壁表面との間を通り、前記水槽の前端壁の内周部と前記回転ドラムの内周部との間により形成している環状出口から前記回転ドラム内に吐出されるようにし、前記制御手段は、前記洗い工程、すすぎ工程の少なくとも１つの工程の開始時に、前記循環ポンプの回転速度を前記噴射口から噴射された洗濯水が回転ドラム内に入ることなく前記水槽の下方に落下する回転速度に制御する水槽内循環工程を設けたことを特徴としている。
【００１０】
これによって、循環系がその循環ポンプおよび循環経路によって洗い工程またはすすぎ工程などにて水槽内の水を吸引して水槽内に戻して循環させるのに、循環経路は水槽の前端壁に接続するだけで水槽および回転ドラムの各前端壁間に繋がって、この水槽および回転ドラムの各前端壁間を通じ特別な配管なしに、前記各前端壁の内周部間で形成する環状出口から回転ドラム内に洗濯水を吐出させられ、また、洗い工程、すすぎ工程の少なくとも１つの工程の開始時に、前記循環ポンプの回転速度を変えることで洗濯水を回転ドラム内に吐出させずに、回転ドラム外の水槽内のみで洗濯水を循環させる水槽内循環工程を実行するので、回転ドラム外の水槽内で洗剤や柔軟剤を早期に洗濯水に溶解しその濃度を均一にした後に、循環する洗濯水を回転ドラム内に供給するので、無用なコスト上昇を抑えつつ洗剤や柔軟材を早期に洗濯水に溶解させ、その後洗濯水を回転ドラム内に吐出供給するので、洗剤や柔軟剤の効果を向上させるとともに、洗濯物への洗剤残りやしみ等を防止することができる。
【発明の効果】
【００１１】
本発明のドラム式洗濯機によれば、洗濯水の吐出口が特別な形状、構造でなくとも、循環ポンプの回転速度を変えることで、無用なコスト上昇を抑えつつ洗剤や柔軟材を早期に洗濯水に溶解させ、その後洗濯水を回転ドラム内に吐出供給するので、洗剤や柔軟剤の効果を向上させるとともに、洗濯物への洗剤残りやしみ等を防止することができる。
【発明を実施するための最良の形態】
【００１２】
第１の発明は、有底円筒形に形成された回転ドラムと、前記回転ドラムを、開口する正面側から底部となる背面側に向けて回転軸方向が水平または水平方向から下向き傾斜となるようにして内部に配設する水槽と、前記回転ドラムを回転駆動するモータと、前記モータ等を制御して洗い工程、すすぎ工程の少なくとも１つを実行する制御手段と、前記水槽内の洗濯水を前記水槽に接続した循環経路を通じ、回転速度可変のモータからなる循環ポンプにより循環させる水循環系とを備え、前記水循環系は、前記水槽の前端壁裏面に設けた噴射口から噴射された洗濯水が前記水槽の前端壁裏面と前記回転ドラムの前端壁表面との間を通り、前記水槽の前端壁の内周部と前記回転ドラムの内周部との間により形成している環状出口から前記回転ドラム内に吐出されるようにし、前記制御手段は、前記洗い工
程、すすぎ工程の少なくとも１つの工程の開始時に、前記循環ポンプの回転速度を前記噴射口から噴射された洗濯水が回転ドラム内に入ることなく前記水槽の下方に落下する回転速度に制御する水槽内循環工程を設けたことを特徴とするドラム式洗濯機とすることにより、循環系がその循環ポンプおよび循環経路によって洗い工程またはすすぎ工程などにて水槽内の水を吸引して水槽内に戻して循環させるのに、循環経路は水槽の前端壁に接続するだけで水槽および回転ドラムの各前端壁間に繋がって、この水槽および回転ドラムの各前端壁間を通じ特別な配管なしに、前記各前端壁の内周部間で形成する環状出口から回転ドラム内に洗濯水を吐出させられ、また、洗い工程、すすぎ工程の少なくとも１つの工程の開始時に、前記循環ポンプの回転速度を変えることで洗濯水を回転ドラム内に吐出させずに、回転ドラム外の水槽内のみで洗濯水を循環させる水槽内循環工程を実行するので、回転ドラム外の水槽内で洗剤や柔軟剤を早期に洗濯水に溶解しその濃度を均一にした後に、循環する洗濯水を回転ドラム内に供給するので、無用なコスト上昇を抑えつつ洗剤や柔軟材を早期に洗濯水に溶解させ、その後洗濯水を回転ドラム内に吐出供給するので、洗剤や柔軟剤の効果を向上させるとともに、洗濯物への洗剤残りやしみ等の発生を防止することができる。
【００１３】
第２の発明は、特に、第１の発明において、洗い工程、すすぎ工程の少なくとも１つの給水工程で、給水開始から水槽内循環工程を開始するまでに、規定時間もしくは規定水位に到達するまでの遅延時間を設けることを特徴とすることにより、循環ポンプ内に十分な水が入っていない状態で循環ポンプを駆動することや、使用者が給水栓を開け忘れていた場合に循環ポンプ内に水が全く無い状態で循環ポンプを駆動し続けることを避けることができる。これにより、循環ポンプ内の水が少ないことで起こる泡がみ音などの異音の発生や、循環ポンプが長時間駆動し続けることによる異常温度への上昇などを回避できるので、循環ポンプの信頼性を向上させることができる。
【００１４】
第３の発明は、特に、第１の発明において、風呂水を吸水して水槽内に前記風呂水を供給する風呂水吸水手段をさらに備え、前記風呂水吸水手段により風呂水を使用して運転する場合は、前記風呂水吸水手段による風呂水の供給終了後に水槽内循環工程を開始することを特徴とすることにより、風呂水吸水手段と循環ポンプが同時に駆動することで生じる通常よりも大きな駆動音で使用者に不快感を与えることを回避できる。
【００１５】
第４の発明は、特に、第１の発明において、予約運転を設定する予約運転設定手段をさらに備え、前記予約運転設定手段により予約運転の設定を行った場合の運転時は、水槽内循環工程の時間を、予約運転を行わない場合よりも長くすることを特徴とすることにより、水槽内循環工程中に、予約待機中に固化しがちな洗剤を十分に溶解することができ、洗浄力の低下や洗濯物への洗剤残り等を回避することができる。
【００１６】
第５の発明は、特に、第１の発明において、水槽内の洗濯水の水温を検知する洗濯水温検知手段をさらに備え、前記洗濯水温検知手段により水温が低いと判断された場合は、水槽内循環工程の時間を、水温が高い場合よりも長くすることを特徴とすることにより、洗濯水の水温が低い場合でも、洗剤を十分に溶解することができ、洗浄力の低下や洗濯物への洗剤残り等を回避することができる。
【００１７】
以下、本発明の実施の形態について、図面を参照しながら説明する。なお、この実施の形態によって本発明が限定されるものではない。
【００１８】
（実施の形態１）
本実施の形態１のドラム式洗濯機は、図１に示すように、洗濯機本体２の内部に揺動自在に水槽３が配設され、水槽３内には、回転ドラム４が回転自在に配設され、回転ドラム４は、水槽３の背面に外側より取り付けられたモータ６により回転駆動される。
【００１９】
また、本実施の形態１のドラム式洗濯機は、モード設定や制御プログラムに従い、図１に示すモータ６、給水系７、排水系８、乾燥系９を自動制御して少なくとも洗い工程、すすぎ工程、脱水工程、乾燥工程を行う機能を有したいわゆるドラム式洗濯乾燥機を構成している。しかし、乾燥系９は省略することができる。
【００２０】
給水系７は電磁弁（図示せず）の開閉によって実線矢印で示すように適時に給水でき、また給水を利用して洗剤収容部７ａの洗剤を水槽３内に適時に投入できるようになっている。
【００２１】
排水系８は、排水弁１９の開閉によって洗い工程終了時、すすぎ工程終了時など必要なときに一点鎖線矢印で示すように、水槽３の下部に接続された排水管８ａを介し、糸屑類を捕集し外部から取り外し可能の排水フィルタ８ｂを通過した後、排水できるようになっている。
【００２２】
乾燥系９は、水槽３および回転ドラム４内の空気を送風機１２によって図１の破線矢印で示すように循環させる。乾燥系９内には、糸屑類を捕集し除塵するフィルタ（図示せず）、除塵後の導入空気を除湿する除湿部（図示せず）、除湿後の空気を加熱して渇いた高温空気とする加熱部（図示せず）等を有する。
【００２３】
また、上記に加え、洗い工程時、すすぎ工程時など必要に応じ、水循環系１６にて水槽３内の水を循環させて、洗いやすすぎの機能向上を図る機能も有している。この循環系１６は、循環ポンプ２０を駆動させることで、水槽３内の水を、排水管８ａを介し、排水フィルタ８ｂを通過させ、水循環経路３１の循環ポンプ２０への流入側経路３１ａ、循環ポンプ２０および水循環経路３１の循環ポンプ２０からの吐出側経路３１ｂを介して、水槽３内に戻すことを繰り返す。
【００２４】
また、運転コース等のモードや各種機能の選択は、洗濯機本体２の前面上部に設けられる操作パネル２１から入力して行い、制御系２２がその入力情報を基に操作パネル２１上の表示手段で表示して使用者に知らせるとともに、操作パネル２１での入力設定手段により運転開始が設定されると、水槽３内の水位を検知する水位検知手段等からのデータを入力して駆動を開始して、排水弁、給水弁などの動作を制御し、洗濯、脱水、乾燥などの運転を行う。
【００２５】
また、循環ポンプ２０は、図１に示すように、洗濯機本体２の底部である台板２ａ上に固定している。具体的には、循環ポンプ２０は、図２に示すように、インペラ２０ａを収容した樹脂製のポンプケーシング２０ｂがその開口側で、循環モータ２０ｃの金属製のモータケーシング２０ｄの前端にある軸受隔壁２０ｄ１に当てがって一体化し、インペラ２０ａをモータ軸２０ｅに直結したものとしてあり、これを樹脂製の取り付け座３５に嵌め付けてある。取り付け座３５はその周辺３か所にほぼＣ型の取り付け片３５ａを有し、これら取り付け片３５ａを台板２ａ上のボス部（図示せず）にボルト（図示せず）をねじ込むことにより取り付けている。
【００２６】
また、水循環経路３１の吐出側経路３１ｂは図１および図３に示すように、水槽３の開口１３まわりの前端壁３ｈの最下部に設けた図３に示す噴射口５１に外面から接続して、図１の矢印ａのように、水槽３の前端壁３ｈの裏面とこれに対応する回転ドラム４の前端壁４ｂの表面との間に吐出側経路３１ｂからの洗濯水を噴射し、それらの間で形成する流路５２を通じて回転ドラム４内に吐出するようにしてある。このときの循環ポンプ２０のモータ回転速度は、例えば３５００ｒｐｍに設定している。これにより、吐出側経路３１ｂからの水の噴射口５１が回転ドラム４内の洗濯物と接触しない位置にあるので、洗濯物
が引っ掛かって洗濯やすすぎ、乾燥などに必要な挙動を乱したり、あるいは洗濯物を傷めたり、破れたりするようなことを防止することができるし、見栄えのよい外観が損なわれない。併せ、流路５２は水槽３および回転ドラム４の前端壁３ｈ、４ｂ間で形成しているため、特別な部品が不要でシール部材５６を用いる程度の構造が簡単かつ安価で水漏れのリスクが低減する。
【００２７】
しかも噴射口５１は、水槽３の前端壁３ｈの裏面において図３（ｃ）に示すように回転ドラム４の回転中心方向、具体的には、水槽３および回転ドラム４の前端壁３ｈ、４ｂ間の流路５２における環状出口５３に向かって開口しているので、噴射口５１から噴射する洗濯水は流路５２を回転ドラム４の回転中心側、具体的には環状出口５３に向かって径方向に回転ドラム４の内側回転域に効率よく吐出させられ、洗濯物の多少にかかわらず洗濯水を効率よく供与できる。特に、水槽３の前端壁３ｈは噴射口５１に対応する位置から内周近くに向かって洗濯機本体２の後部側に傾斜した傾斜面３ｈ１およびこの傾斜面３ｈ１から内周まで、回転ドラム４の開口５４側に向け湾曲した湾曲面３ｈ２を有していることにより、流路５２に噴射される洗濯水を図３（ｃ）に示すように、傾斜面３ｈ１から湾曲面３ｈ２に沿わせて、回転ドラム４の開口５４を通じ回転ドラム４の奥側に向け吐出させられるので、洗濯水の洗濯物への供与効率を高められる。
【００２８】
ここで、水循環系１６の構造としては、水槽３の前端壁３ｈの吐出側経路３１ｂが接続される接続口５１ａから洗濯水を流路５２に噴射させる噴射口５１は、流路５２へ回転ドラム４の回転中心側に向け周方向の所定範囲で開口したものとしている。このように、水槽３の前端壁３ｈに接続口５１ａを設けるのに、流路５２に向いて開口する噴射口５１を形成することで、吐出側経路３１ｂからの洗濯水を、噴射５１口を通じ流路５２側に乱れなく案内して、回転ドラム４内に環状出口５３の噴射口５１の周方向域に対応した所定域から所定の方向に左右への広がりを伴い安定して吐出させられる。結果、水槽３の前端壁３ｈの吐出側経路３１ｂを接続する接続口５１ａから流入する洗濯水を、接続口５１に併せ設けられて流路５２に向き開口する噴射口５１により、噴射口５１の周方向域に対応した開口を通じ流路５２側に乱れなく案内して、環状出口５３の噴射口５１に対応する周方向の所定域から所定の方向に左右への広がりを伴い安定して吐出させて、回転ドラム４内の洗濯物にその多少にかかわらず有効に働かせさられる。
【００２９】
また、噴射口５１は、接続口５１ａに接続される吐出側経路３１ｂの接続端部５５ｄとの間で、洗濯水を流路５２への開口部に案内するようにしている。これにより、吐出側経路が接続される接続口に設けた噴射口が洗濯水を前記流路の側に案内するのに、吐出側経路の接続口への接続端部と協働した相互の簡単形状での合わせ形態にて、好適な案内条件を満足できる。結果、接続口５１ａに設けた噴射口５１により流入する洗濯水を流路５２の側に案内するのに、吐出側経路３１ｂの接続口５１ａへの接続端部５５ｄとの簡単形状での合わせ形態により、周方向に大きな吐出流幅、前後方向に十分な吐出流厚み、着水距離を大きくできる吐出流速度など、洗濯物の多少にかかわらず好適に働く条件を満足する案内ができ、しかも、配管構造は特に複雑化せず漏水リスクの増大がなく、コスト上昇の原因にもならない。結果、接続口５１ａに続いて設けた噴射口５１により流入する洗濯水を流５２路の側に案内するのに、吐出側経路３１ｂの接続口５１ａへの接続端部５５ｄとの簡単形状での合わせ形態により、周方向に大きな吐出流幅、前後方向に十分な吐出流厚み、着水距離を大きくできる吐出流速度など、洗濯物の多少にかかわらず好適に働く条件を満足する案内ができ、しかも、配管構造は特に複雑化せず漏水リスクの増大がなく、コスト上昇の原因にもならない。
【００３０】
また、噴射口５１は、図３（ａ）に示すように水槽３の前端壁３ｈの底部のほぼ中心位置に開口し、この噴射口５１と吐出側経路３１とを図３に示す樹脂製のダクト５５部によって接続してある。このダクト５５は前後部材５５ａ、５５ｂ二枚合せにして前後に扁平
に形成してある。吐出側経路３１ｂは噴射口５１の開口位置に対し左右方向一方に偏って循環ポンプ２０から水槽３の軸線とほぼ平行に前方へ延び、ダクト５５はパイプ状の吐出側経路３１ｂの前端と噴射口５１とを後部材５５ａ一端に一体形成した接続パイプ５５ｃで吐出側経路３１ｂにその延長部として接続され、この一端側から噴射口５１の下方近くにまでほぼ水平に延びた後、他端側が噴射口５１まで湾曲して立ち上がり、図３（ｃ）に示すように立ち上がり部５５ｄの後部材５５ａに一体成形した接続口５５ｅによって噴射口５１の水槽３の前端壁３ｈに開口する接続口５１ａにシール部材５６を介し接続しねじ５７でねじ止めし固定してある。このように、水槽３の前端壁３ｈの接続口５１ａとの接続端部５５ｄから水槽３の外周へ張り出し循環ポンプ２０側に接続されるダクト５５部を前後に扁平なものとしてあると、水槽３の前端壁３ｈと洗濯機本体２の前面壁との間に小さなスペースで配管できる。しかも、ダクト５５の扁平形状によって洗濯水に噴射口５１の開口などに見合う水流幅、水流厚みに整流して、接続口５１ａから噴射口５１に向かわせ流路５２に噴射されるようにし、環状出口５３からの大きな周方向吐出幅、前後方向に十分な吐出厚み、着水距離を大きくできる吐出速度域を、流れに乱れなく満足することができ、洗濯、すすぎ効果をさらに高められる。また、ダクト５５部が、水槽３の外周から前端壁３ｈ下部の噴射口５１の接続口５１ａ近くの下まで横方向に延び、そこから接続口までの湾曲した立ち上がり部にて接続口５１ａに接続されているため、扁平流に整流した洗濯水を立ち上がり部の湾曲形状にて乱すことなく接続口５１ａ、および扁平方向が一致した噴射口５１に導き、流路５２の周方向所定域に噴射させるので、環状出５３のより広域からより安定して吐出させられ、洗濯水の洗濯物への働きを高められる。
【００３１】
特に、噴射口５１は、水槽３の前端壁３ｈに開口する接続口５１ａからこれに平行で回転ドラム４の前端壁４ｂ側に寄って一体形成された受け止め壁５１ｃによって、接続口５１ａの口縁上部との間で環状出口５３に向け開口するように形成され、接続口５５ｄは受け止め壁５１ｃとの間で、噴射口５１に向け噴射通路をダクト５５側からアール面にて滑らかに絞る絞り壁５５ｆを備え、ダクト５５から噴射口５１に向かう洗濯水を加勢し、水槽３の前端壁３ｈの裏面の傾斜面３ｈ１および湾曲面３ｈ２に強く沿わせた高速流とするので、回転ドラム４内へ上方斜め後方に所定の経路で確実に吐出し左右に広がりながら放物線を描くより長い飛翔経路にて回転ドラム４内の洗濯物により広域から供与できるようになる。しかし、前記高速流とするための絞り通路はダクト５５の接続口５１ａへの接続端部と噴射口５１との間でどのように形成されてもよい。つまり、接続口５１ａに設けた噴射５１により流入する洗濯水を流路５２の側に案内するのに、吐出側経５１ｂの接続口５１への接続端部５５との簡単形状での合わせ形態により、周方向に大きな吐出流幅、前後方向に十分な吐出流厚み、着水距離を大きくできる吐出流速度など、洗濯物の多少にかかわらず好適に働く条件を満足する案内ができ、しかも、配管構造は特に複雑化せず漏水リスクの増大がなく、コスト上昇の原因にもならない。
【００３２】
また、回転ドラム４の前端壁４ｂには図３（ｃ）に示すように流路５２を傾斜面３ｈ１との間に絞り隙間Ｓを残して周方向に横切る環状のリブ状凸部４ｃが形成されている。さらに、このリブ状凸部４ｃはその位置が径方向に波打ち状に変化している。このため、リブ状凸部４ｃは回転ドラム４が回転すると噴射口５１近傍での流路５２に対する横切り位置、つまり絞り隙間Ｓの形成位置を図３（ｃ）に３つの具体的位置で示すように径方向に変位させる。この結果、流路５２を環状出口５３に向かう洗濯水流は環状出口５３近くで絞り隙間Ｓにより絞られる場合と、環状出口５３から遠い位置で絞り隙間Ｓに絞られる場合とで、回転ドラム４内に向かう角度が上下に振れるので、回転ドラム４の軸線方向の広域に洗濯水を振り分け洗濯物に供与することができる。
【００３３】
ここに、リブ状凸部４ｃは、回転ドラム４の前端壁３ｈ側に周方向に不均一に設けた吐出ガイドで、流路５２に噴射され環状出口５３から回転ドラム４内に吐出される洗濯水の吐出方向を前後に乱し、あるいは変化させ、吐出した洗濯水が回転ドラム４内への洗濯物
に着水する位置が前後に乱し、または変化させるものといえ、このような吐出ガイドとしては、吐出ガイドは、周方向に波打ちした内周、周方向に前後に波打ちした壁面、前記流路側に突出し周方向に波打ちし、またはおよび断続したリブ状凸部または羽根、前記流路を通って噴射される洗濯水の通過抵抗を周方向に変化させる邪魔部、の少なくとも１つとして吐出方向を前後に乱しまたは変化させる作用を営むことができ、可能な限りそれらを複合して採用することができる。
【００３４】
これら放物線供与作用、前後振り分け作用によって洗濯水は洗濯物に前後方向にも偏りなく働き、洗剤の溶かし込効果、洗濯効果、すすぎ効果を高められる。
【００３５】
ところで、既述したように、洗濯水を噴射口５１から回転ドラム４内のみに単純に噴射するようにした場合、洗い工程の初期においては、洗剤が完全に溶解しきれていない洗濯水を直接、回転ドラム４内の洗濯物に噴射することになり、洗濯終了時において、洗濯物表面および内部に洗剤が溶け残る場合がある。また、すすぎ工程の初期に柔軟剤を投入する場合においても、濃度の濃い柔軟剤が直接、回転ドラム４内の洗濯物に噴射されることになり、この濃度の濃い柔軟材により、洗濯物にしみ等がつく場合もある。一方、それを防止するために、回転ドラム４の外部にも噴射できる特別な噴射ノズルを採用すると、配管構造がさらに複雑になり、さらなるコスト上昇の原因になる。
【００３６】
そこで、本実施の形態１では、水槽３内の水を循環ポンプ２０により循環させるのに、例えば回転速度制御が可能であるＤＣブラシレスモータを用いて、洗い工程、すすぎ工程の少なくとも１つの工程の開始時に、循環ポンプ２０の回転速度を噴射口５１から噴射した洗濯水が回転ドラム４内に入ることなく、図１の矢印ｂのように、受け止め壁５１ｃと回転ドラム４の前端壁表面４ｂとの間を通って、水槽３の下方に落下する回転速度に制御する水槽内循環工程を設けている。このときの循環ポンプ２０のモータ回転速度は、例えば１０００ｒｐｍに設定している。この水槽内循環工程を実行することで、回転ドラム４の外側にある水槽３と水循環系１６とで洗濯水を循環させることができる。
【００３７】
この結果、水槽内循環工程において、循環ポンプ２０により水槽３と水循環系１６とで洗濯水を循環させることで、洗剤や柔軟剤を早期に洗濯水に溶解し、その濃度を均一にすることができる。そして、洗濯水の濃度が均一になった後に、循環ポンプ２０の回転速度を、噴射口５１から吐出した洗濯水が回転ドラム４内の洗濯物に供給する回転速度に上昇させることで、洗剤や柔軟剤の効果を向上させるとともに、洗濯物への洗剤残りや高濃度の柔軟剤が直接洗濯物に付着することによるしみ等の発生を防止することができる。
【００３８】
また、洗い工程、すすぎ工程の少なくとも１つの工程の給水工程の初期においては、給水開始から水槽内循環工程を開始するまでに、例えば１０秒経過するか、もしくは水位が水槽３の下端から４０ｍｍ程度に到達するまでの遅延時間を設けることで、循環ポンプ２０内に十分な水が入っていない状態で循環ポンプ２０駆動することや、使用者が給水栓を開け忘れていた場合においては循環ポンプ２０内に水が全く無い状態で循環ポンプ２０を駆動し続けることを防ぐことができる。
【００３９】
これにより、循環ポンプ２０内の水が少ないことで起こる泡がみ音などの異音の発生や、循環ポンプ２０内に水が全く無い状態で循環ポンプ２０が長時間駆動し続けることによる異常温度上昇などを回避することができるので、循環ポンプの信頼性を向上させることができる。
【００４０】
また、本実施の形態１においては、風呂水を吸水して水槽３内に風呂水を供給する風呂水吸水手段７ｂを設けている。この風呂水吸水手段７ｂにより、風呂水を使用して運転する場合は、風呂水吸水手段７ｂの運転終了後に循環ポンプ２０を駆動することにより、風
呂水吸水手段７ｂと循環ポンプ２０が同時に駆動することを防止する。
【００４１】
これにより、風呂水吸水手段７ｂと循環ポンプ２０の２つのモータが同時に駆動することで生じる通常よりも大きな駆動音を防止することができ、使用者に不快感を与えることを回避することができる。
【００４２】
また、本実施の形態１においては、予約運転を設定する予約運転設定手段（図示せず）を設けている。この予約運転設定手段により予約運転の設定を行った場合の運転時は、水槽内循環工程の時間を、予約運転を行わない場合と比べ、例えば２倍に長くすることで、予約待機中に固化しがちな洗剤を十分に溶解できる。
【００４３】
これにより、予約運転時も十分な洗浄力を得るとともに、洗濯物への洗剤残り等を回避することができる。
【００４４】
また、本実施の形態１においては、水槽３内の洗濯水の水温を検知する洗濯水温検知手段（図示せず）を設けている。この洗濯水温検知手段により、例えば５℃程度と水温が低いと判断された場合は、水槽内循環工程の時間を、例えば２０℃程度と水温が通常と判断された場合と比べ、例えば２倍程度に長くすることで、低水温時でも洗剤を十分に溶解することができる。
【００４５】
これにより、洗浄力が低下したり、洗濯物に洗剤残り等が起こりやすい水温が低い場合でも、十分な洗浄力を得るとともに、洗濯物への洗剤残り等を回避することができる。
【００４６】
なお、本実施の形態では、水槽３内の水を循環させるのに循環ポンプ２０を洗濯機本体２の底部である台板２ａ上に設置する構成としたが、これに限定されるものではなく、循環ポンプ２０を水槽３の下部３ｂに設置する構成でも良く、同等の効果を奏することができる。
【産業上の利用可能性】
【００４７】
本発明にかかるドラム式洗濯機は、洗い工程、すすぎ工程の少なくとも１つの工程の開始時に、循環ポンプの回転速度を洗濯水が回転ドラム内に入ることなく水槽の下方に落下する回転速度に制御する水槽内循環工程を設けたので、回転ドラム外の水槽内で洗剤や柔軟剤を早期に洗濯水に溶解しその濃度を均一にした後に、循環する洗濯水を回転ドラム内に供給するので、無用なコスト上昇を抑えつつ洗剤や柔軟材を早期に洗濯水に溶解させ、その後洗濯水を回転ドラム内に吐出供給するので、洗剤や柔軟剤の効果を向上させるとともに、洗濯物への洗剤残りやしみ等の発生を防止する効果を有し、有底円筒形に形成された回転ドラムを、開口する正面側から底部となる背面側に向けて回転軸方向が水平または水平方向から下向き傾斜となるようにして水槽内に設置し、回転ドラムを回転駆動することにより回転ドラム内に収容した洗濯物を洗濯するドラム式洗濯機として有用である。
【図面の簡単な説明】
【００４８】
【図１】本発明の実施の形態１に係るドラム式洗濯機の断面図
【図２】（ａ）同ドラム式洗濯機に用いた循環ポンプの断面図（ｂ）同ドラム式洗濯機に用いた循環ポンプの側面図（ｃ）同ドラム式洗濯機に用いた循環ポンプの下面図
【図３】（ａ）同ドラム式洗濯機の水循環経路の吐出側経路を水槽に接続するダクトを示す正面図（ｂ）同ドラム式洗濯機の水循環経路の吐出側経路を水槽に接続するダクトを示す横断面図（ｃ）同ドラム式洗濯機の水循環経路の吐出側経路を水槽に接続するダクトを示す縦断面図
【符号の説明】
【００４９】
３  水槽
３ｈ  前端壁
４ｂ  前端壁表面
２０  循環ポンプ
５１  噴射口
【手続補正書】
【提出日】平成21年4月17日(2009.4.17)
【手続補正１】
【補正対象書類名】特許請求の範囲
【補正対象項目名】全文
【補正方法】変更
【補正の内容】
【特許請求の範囲】
【請求項１】
有底円筒形に形成された回転ドラムと、前記回転ドラムを、開口する正面側から底部となる背面側に向けて回転軸方向が水平または水平方向から下向き傾斜となるようにして内部に配設する水槽と、前記回転ドラムを回転駆動するモータと、前記水槽内の洗濯水を前記水槽に接続した循環経路を通じ、前記循環経路内に設けられ回転速度可変の循環モータからなる循環ポンプにより前記回転ドラム内に循環させる水循環系と、前記モータ等を制御して洗い工程、すすぎ工程の少なくとも１つを実行する制御手段とを備え、前記水循環系は、前記循環ポンプの吐出側に形成された吐出側経路からの洗濯水を前記水槽の前端壁の下部の裏面に設けられ上方に向け開口した噴射口に案内するように構成し、前記制御手段は、前記洗い工程、すすぎ工程の少なくとも１つの工程において、前記循環ポンプの循環モータ回転速度を第１の所定回転速度に設定することで、前記噴射口から噴射された洗濯水が前記回転ドラム内に吐出されるようにし、前記洗い工程、すすぎ工程の少なくとも１つの工程の開始時に、前記循環ポンプの回転速度を前記第１の所定回転速度より低い第２の所定回転速度に設定することで、前記噴射口から噴射された洗濯水が前記回転ドラム内に入ることなく前記水槽の下方に落下する水槽内循環工程を実行するようにしたことを特徴とするドラム式洗濯機。
【請求項２】
洗い工程、すすぎ工程の少なくとも１つの給水工程で、給水開始から水槽内循環工程を開始するまでに、規定時間もしくは規定水位に到達するまでの遅延時間を設けることを特徴とする請求項１記載のドラム式洗濯機。
【請求項３】
風呂水を吸水して水槽内に前記風呂水を供給する風呂水吸水手段をさらに備え、前記風呂水吸水手段により風呂水を使用して運転する場合は、前記風呂水吸水手段による風呂水の供給終了後に水槽内循環工程を開始することを特徴とする請求項１記載のドラム式洗濯機。
【請求項４】
水槽内の洗濯水の水温を検知する洗濯水温検知手段をさらに備え、前記洗濯水温検知手段により水温が低いと判断された場合は、水槽内循環工程の時間を水温が高い場合よりも長くすることを特徴とする請求項１記載のドラム式洗濯機。
【手続補正２】
【補正対象書類名】明細書
【補正対象項目名】全文
【補正方法】変更
【補正の内容】
【発明の詳細な説明】
【技術分野】
【０００１】
本発明は、有底円筒形に形成された回転ドラムを、開口する正面側から底部となる背面側に向けて回転軸方向が水平または水平方向から下向き傾斜となるようにして水槽内に設置し、回転ドラムを回転駆動することにより回転ドラム内に収容した洗濯物を洗濯するドラム式洗濯機に関するものである。
【背景技術】
【０００２】
このようなドラム式洗濯機で、水槽内の水を循環ポンプで循環させる循環機能を有したものが既に知られている（例えば、特許文献１〜４参照）。
【０００３】
特許文献１は、１つのポンプを洗い工程やすすぎ工程では循環ポンプとして用い、すすぎ水や洗濯水を循環させ、洗濯工程初期では洗剤と洗濯水の積極的な攪拌、洗剤の早期溶け込みを図り、脱水や排水工程では排水ポンプとして用いる技術を開示しており、循環経路の循環ポンプ吸水側途中にフィルタケースを設けて、吸水中の夾雑物を捕集するようにもしている。これにより循環ポンプに夾雑物が入り込まなくなる。
【０００４】
特許文献２は、水槽内の水を循環ポンプで循環させることにより、洗剤がヒータ設置空間または特定空間に集まる現象を防止し、併せ、洗濯前に該当の洗濯物を迅速に加熱して洗濯効率を高められる技術を開示している。
【０００５】
特許文献３は、循環ポンプ部と糸屑類の洗濯屑を捕獲するフィルタリング部とを備えた循環ポンプユニットを洗濯機の外箱の底部である台板に設けて、水槽内の洗濯水を循環させるのに、弾性クッションを介して台板に設け、ポンプモータの振動が台板に伝播するのを防止し、結果、ポンプモータの振動と外箱の振動とが共振することで起こる騒音を防げるようにした技術を開示している。
【０００６】
特許文献４は、水槽内の水を回転ドラム内に加え、乾燥用のヒータまわりに噴射してヒータまわりに付着した糸屑類を除去できるようにした技術を開示している。
【特許文献１】特開平１１−２７６７９１号公報
【特許文献２】特開２００５−５８７４１号公報
【特許文献３】特開２００６−２２３５７２号公報
【特許文献４】特開２００６−２３９１４２号公報
【発明の開示】
【発明が解決しようとする課題】
【０００７】
しかし、特許文献１〜３に開示の水循環技術はいずれも、洗濯水を配管端から回転ドラム内のみに噴射するようにしているので、洗い工程初期に洗剤が完全に溶解しきれていない洗剤液を直接回転ドラム内の洗濯物に噴射することになり、洗濯終了後に洗濯物表面および内部に洗剤が溶け残る場合があった。また、すすぎ工程初期に柔軟剤を投入する場合も、濃度の濃い柔軟剤が直接回転ドラム内の洗濯物に噴射されることにより、洗濯物にしみ等がつく場合もあった。一方、特許文献４に記載の技術は回転ドラム外部にも噴射できる特別な噴射ノズルを採用しているが、配管構造がさらに複雑になりさらなるコスト上昇
の要因になっていた。
【０００８】
本発明の主たる目的は、複雑な構造を用いることなく、無用なコスト上昇を抑えつつ洗剤や柔軟材を早期に洗濯水に溶解させ、その後洗濯水を回転ドラム内に供給するので洗剤や柔軟剤の効果を向上させるとともに、洗濯物への洗剤残りやしみ等を防止することができるドラム式洗濯機を提供することにある。
【課題を解決するための手段】
【０００９】
上記目的を達成するために本発明に係るドラム式洗濯機は、有底円筒形に形成された回転ドラムと、前記回転ドラムを、開口する正面側から底部となる背面側に向けて回転軸方向が水平または水平方向から下向き傾斜となるようにして内部に配設する水槽と、前記回転ドラムを回転駆動するモータと、前記水槽内の洗濯水を前記水槽に接続した循環経路を通じ、前記循環経路内に設けられ回転速度可変の循環モータからなる循環ポンプにより前記回転ドラム内に循環させる水循環系と、前記モータ等を制御して洗い工程、すすぎ工程の少なくとも１つを実行する制御手段とを備え、前記水循環系は、前記循環ポンプの吐出側に形成された吐出側経路からの洗濯水を前記水槽の前端壁の下部の裏面に設けられ上方に向け開口した噴射口に案内するように構成し、前記制御手段は、前記洗い工程、すすぎ工程の少なくとも１つの工程において、前記循環ポンプの循環モータ回転速度を第１の所定回転速度に設定することで、前記噴射口から噴射された洗濯水が前記回転ドラム内に吐出されるようにし、前記洗い工程、すすぎ工程の少なくとも１つの工程の開始時に、前記循環ポンプの回転速度を前記第１の所定回転速度より低い第２の所定回転速度に設定することで、前記噴射口から噴射された洗濯水が前記回転ドラム内に入ることなく前記水槽の下方に落下する水槽内循環工程を実行するようにしたことを特徴としている。
【００１０】
これによって、循環系がその循環ポンプおよび循環経路によって洗い工程またはすすぎ工程などにて水槽内の水を吸引して水槽内に戻して循環させるのに、循環経路は水槽の前端壁に接続するだけで水槽および回転ドラムの各前端壁間に繋がって、この水槽および回転ドラムの各前端壁間を通じ特別な配管なしに、前記各前端壁の内周部間で形成する環状出口から回転ドラム内に洗濯水を吐出させられ、また、洗い工程、すすぎ工程の少なくとも１つの工程の開始時に、前記循環ポンプの回転速度を変えることで洗濯水を回転ドラム内に吐出させずに、回転ドラム外の水槽内のみで洗濯水を循環させる水槽内循環工程を実行するので、回転ドラム外の水槽内で洗剤や柔軟剤を早期に洗濯水に溶解しその濃度を均一にした後に、循環する洗濯水を回転ドラム内に供給するので、無用なコスト上昇を抑えつつ洗剤や柔軟材を早期に洗濯水に溶解させ、その後洗濯水を回転ドラム内に吐出供給するので、洗剤や柔軟剤の効果を向上させるとともに、洗濯物への洗剤残りやしみ等を防止することができる。
【発明の効果】
【００１１】
本発明のドラム式洗濯機によれば、洗濯水の吐出口が特別な形状、構造でなくとも、循環ポンプの回転速度を変えることで、無用なコスト上昇を抑えつつ洗剤や柔軟材を早期に洗濯水に溶解させ、その後洗濯水を回転ドラム内に吐出供給するので、洗剤や柔軟剤の効果を向上させるとともに、洗濯物への洗剤残りやしみ等を防止することができる。
【発明を実施するための最良の形態】
【００１２】
第１の発明は、有底円筒形に形成された回転ドラムと、前記回転ドラムを、開口する正面側から底部となる背面側に向けて回転軸方向が水平または水平方向から下向き傾斜となるようにして内部に配設する水槽と、前記回転ドラムを回転駆動するモータと、前記水槽内の洗濯水を前記水槽に接続した循環経路を通じ、前記循環経路内に設けられ回転速度可変の循環モータからなる循環ポンプにより前記回転ドラム内に循環させる水循環系と、前記モータ等を制御して洗い工程、すすぎ工程の少なくとも１つを実行する制御手段とを備
え、前記水循環系は、前記循環ポンプの吐出側に形成された吐出側経路からの洗濯水を前記水槽の前端壁の下部の裏面に設けられ上方に向け開口した噴射口に案内するように構成し、前記制御手段は、前記洗い工程、すすぎ工程の少なくとも１つの工程において、前記循環ポンプの循環モータ回転速度を第１の所定回転速度に設定することで、前記噴射口から噴射された洗濯水が前記回転ドラム内に吐出されるようにし、前記洗い工程、すすぎ工程の少なくとも１つの工程の開始時に、前記循環ポンプの回転速度を前記第１の所定回転速度より低い第２の所定回転速度に設定することで、前記噴射口から噴射された洗濯水が前記回転ドラム内に入ることなく前記水槽の下方に落下する水槽内循環工程を実行するようにしたことを特徴とするドラム式洗濯機とすることにより、循環系がその循環ポンプおよび循環経路によって洗い工程またはすすぎ工程などにて水槽内の水を吸引して水槽内に戻して循環させるのに、循環経路は水槽の前端壁に接続するだけで水槽および回転ドラムの各前端壁間に繋がって、この水槽および回転ドラムの各前端壁間を通じ特別な配管なしに、前記各前端壁の内周部間で形成する環状出口から回転ドラム内に洗濯水を吐出させられ、また、洗い工程、すすぎ工程の少なくとも１つの工程の開始時に、前記循環ポンプの回転速度を変えることで洗濯水を回転ドラム内に吐出させずに、回転ドラム外の水槽内のみで洗濯水を循環させる水槽内循環工程を実行するので、回転ドラム外の水槽内で洗剤や柔軟剤を早期に洗濯水に溶解しその濃度を均一にした後に、循環する洗濯水を回転ドラム内に供給するので、無用なコスト上昇を抑えつつ洗剤や柔軟材を早期に洗濯水に溶解させ、その後洗濯水を回転ドラム内に吐出供給するので、洗剤や柔軟剤の効果を向上させるとともに、洗濯物への洗剤残りやしみ等の発生を防止することができる。
【００１３】
第２の発明は、特に、第１の発明において、洗い工程、すすぎ工程の少なくとも１つの給水工程で、給水開始から水槽内循環工程を開始するまでに、規定時間もしくは規定水位に到達するまでの遅延時間を設けることを特徴とすることにより、循環ポンプ内に十分な水が入っていない状態で循環ポンプを駆動することや、使用者が給水栓を開け忘れていた場合に循環ポンプ内に水が全く無い状態で循環ポンプを駆動し続けることを避けることができる。これにより、循環ポンプ内の水が少ないことで起こる泡がみ音などの異音の発生や、循環ポンプが長時間駆動し続けることによる異常温度への上昇などを回避できるので、循環ポンプの信頼性を向上させることができる。
【００１４】
第３の発明は、特に、第１の発明において、風呂水を吸水して水槽内に前記風呂水を供給する風呂水吸水手段をさらに備え、前記風呂水吸水手段により風呂水を使用して運転する場合は、前記風呂水吸水手段による風呂水の供給終了後に水槽内循環工程を開始することを特徴とすることにより、風呂水吸水手段と循環ポンプが同時に駆動することで生じる通常よりも大きな駆動音で使用者に不快感を与えることを回避できる。
【００１５】
第４の発明は、特に、第１の発明において、水槽内の洗濯水の水温を検知する洗濯水温検知手段をさらに備え、前記洗濯水温検知手段により水温が低いと判断された場合は、水槽内循環工程の時間を、水温が高い場合よりも長くすることを特徴とすることにより、洗濯水の水温が低い場合でも、洗剤を十分に溶解することができ、洗浄力の低下や洗濯物への洗剤残り等を回避することができる。
【００１６】
以下、本発明の実施の形態について、図面を参照しながら説明する。なお、この実施の形態によって本発明が限定されるものではない。
【００１７】
（実施の形態１）
本実施の形態１のドラム式洗濯機は、図１に示すように、洗濯機本体２の内部に揺動自在に水槽３が配設され、水槽３内には、回転ドラム４が回転自在に配設され、回転ドラム４は、水槽３の背面に外側より取り付けられたモータ６により回転駆動される。
【００１８】
また、本実施の形態１のドラム式洗濯機は、モード設定や制御プログラムに従い、図１に示すモータ６、給水系７、排水系８、乾燥系９を自動制御して少なくとも洗い工程、すすぎ工程、脱水工程、乾燥工程を行う機能を有したいわゆるドラム式洗濯乾燥機を構成している。しかし、乾燥系９は省略することができる。
【００１９】
給水系７は電磁弁（図示せず）の開閉によって実線矢印で示すように適時に給水でき、また給水を利用して洗剤収容部７ａの洗剤を水槽３内に適時に投入できるようになっている。
【００２０】
排水系８は、排水弁１９の開閉によって洗い工程終了時、すすぎ工程終了時など必要なときに一点鎖線矢印で示すように、水槽３の下部に接続された排水管８ａを介し、糸屑類を捕集し外部から取り外し可能の排水フィルタ８ｂを通過した後、排水できるようになっている。
【００２１】
乾燥系９は、水槽３および回転ドラム４内の空気を送風機１２によって図１の破線矢印で示すように循環させる。乾燥系９内には、糸屑類を捕集し除塵するフィルタ（図示せず）、除塵後の導入空気を除湿する除湿部（図示せず）、除湿後の空気を加熱して渇いた高温空気とする加熱部（図示せず）等を有する。
【００２２】
また、上記に加え、洗い工程時、すすぎ工程時など必要に応じ、水循環系１６にて水槽３内の水を循環させて、洗いやすすぎの機能向上を図る機能も有している。この循環系１６は、循環ポンプ２０を駆動させることで、水槽３内の水を、排水管８ａを介し、排水フィルタ８ｂを通過させ、水循環経路３１の循環ポンプ２０への流入側経路３１ａ、循環ポンプ２０および水循環経路３１の循環ポンプ２０からの吐出側経路３１ｂを介して、水槽３内に戻すことを繰り返す。
【００２３】
また、運転コース等のモードや各種機能の選択は、洗濯機本体２の前面上部に設けられる操作パネル２１から入力して行い、制御系２２がその入力情報を基に操作パネル２１上の表示手段で表示して使用者に知らせるとともに、操作パネル２１での入力設定手段により運転開始が設定されると、水槽３内の水位を検知する水位検知手段等からのデータを入力して駆動を開始して、排水弁、給水弁などの動作を制御し、洗濯、脱水、乾燥などの運転を行う。
【００２４】
また、循環ポンプ２０は、図１に示すように、洗濯機本体２の底部である台板２ａ上に固定している。具体的には、循環ポンプ２０は、図２に示すように、インペラ２０ａを収容した樹脂製のポンプケーシング２０ｂがその開口側で、循環モータ２０ｃの金属製のモータケーシング２０ｄの前端にある軸受隔壁２０ｄ１に当てがって一体化し、インペラ２０ａをモータ軸２０ｅに直結したものとしてあり、これを樹脂製の取り付け座３５に嵌め付けてある。取り付け座３５はその周辺３か所にほぼＣ型の取り付け片３５ａを有し、これら取り付け片３５ａを台板２ａ上のボス部（図示せず）にボルト（図示せず）をねじ込むことにより取り付けている。
【００２５】
また、水循環経路３１の吐出側経路３１ｂは図１および図３に示すように、水槽３の開口１３まわりの前端壁３ｈの最下部に設けた図３に示す噴射口５１に外面から接続して、図１の矢印ａのように、水槽３の前端壁３ｈの裏面とこれに対応する回転ドラム４の前端壁４ｂの表面との間に吐出側経路３１ｂからの洗濯水を噴射し、それらの間で形成する流路５２を通じて回転ドラム４内に吐出するようにしてある。このときの循環ポンプ２０のモータ回転速度は、例えば３５００ｒｐｍに設定している。これにより、吐出側経路３１ｂからの水の噴射口５１が回転ドラム４内の洗濯物と接触しない位置にあるので、洗濯物が引っ掛かって洗濯やすすぎ、乾燥などに必要な挙動を乱したり、あるいは洗濯物を傷め
たり、破れたりするようなことを防止することができるし、見栄えのよい外観が損なわれない。併せ、流路５２は水槽３および回転ドラム４の前端壁３ｈ、４ｂ間で形成しているため、特別な部品が不要でシール部材５６を用いる程度の構造が簡単かつ安価で水漏れのリスクが低減する。
【００２６】
しかも噴射口５１は、水槽３の前端壁３ｈの裏面において図３（ｃ）に示すように回転ドラム４の回転中心方向、具体的には、水槽３および回転ドラム４の前端壁３ｈ、４ｂ間の流路５２における環状出口５３に向かって開口しているので、噴射口５１から噴射する洗濯水は流路５２を回転ドラム４の回転中心側、具体的には環状出口５３に向かって径方向に回転ドラム４の内側回転域に効率よく吐出させられ、洗濯物の多少にかかわらず洗濯水を効率よく供与できる。特に、水槽３の前端壁３ｈは噴射口５１に対応する位置から内周近くに向かって洗濯機本体２の後部側に傾斜した傾斜面３ｈ１およびこの傾斜面３ｈ１から内周まで、回転ドラム４の開口５４側に向け湾曲した湾曲面３ｈ２を有していることにより、流路５２に噴射される洗濯水を図３（ｃ）に示すように、傾斜面３ｈ１から湾曲面３ｈ２に沿わせて、回転ドラム４の開口５４を通じ回転ドラム４の奥側に向け吐出させられるので、洗濯水の洗濯物への供与効率を高められる。
【００２７】
ここで、水循環系１６の構造としては、水槽３の前端壁３ｈの吐出側経路３１ｂが接続される接続口５１ａから洗濯水を流路５２に噴射させる噴射口５１は、流路５２へ回転ドラム４の回転中心側に向け周方向の所定範囲で開口したものとしている。このように、水槽３の前端壁３ｈに接続口５１ａを設けるのに、流路５２に向いて開口する噴射口５１を形成することで、吐出側経路３１ｂからの洗濯水を、噴射５１口を通じ流路５２側に乱れなく案内して、回転ドラム４内に環状出口５３の噴射口５１の周方向域に対応した所定域から所定の方向に左右への広がりを伴い安定して吐出させられる。結果、水槽３の前端壁３ｈの吐出側経路３１ｂを接続する接続口５１ａから流入する洗濯水を、接続口５１に併せ設けられて流路５２に向き開口する噴射口５１により、噴射口５１の周方向域に対応した開口を通じ流路５２側に乱れなく案内して、環状出口５３の噴射口５１に対応する周方向の所定域から所定の方向に左右への広がりを伴い安定して吐出させて、回転ドラム４内の洗濯物にその多少にかかわらず有効に働かせさられる。
【００２８】
また、噴射口５１は、接続口５１ａに接続される吐出側経路３１ｂの接続端部５５ｄとの間で、洗濯水を流路５２への開口部に案内するようにしている。これにより、吐出側経路が接続される接続口に設けた噴射口が洗濯水を前記流路の側に案内するのに、吐出側経路の接続口への接続端部と協働した相互の簡単形状での合わせ形態にて、好適な案内条件を満足できる。結果、接続口５１ａに設けた噴射口５１により流入する洗濯水を流路５２の側に案内するのに、吐出側経路３１ｂの接続口５１ａへの接続端部５５ｄとの簡単形状での合わせ形態により、周方向に大きな吐出流幅、前後方向に十分な吐出流厚み、着水距離を大きくできる吐出流速度など、洗濯物の多少にかかわらず好適に働く条件を満足する案内ができ、しかも、配管構造は特に複雑化せず漏水リスクの増大がなく、コスト上昇の原因にもならない。結果、接続口５１ａに続いて設けた噴射口５１により流入する洗濯水を流５２路の側に案内するのに、吐出側経路３１ｂの接続口５１ａへの接続端部５５ｄとの簡単形状での合わせ形態により、周方向に大きな吐出流幅、前後方向に十分な吐出流厚み、着水距離を大きくできる吐出流速度など、洗濯物の多少にかかわらず好適に働く条件を満足する案内ができ、しかも、配管構造は特に複雑化せず漏水リスクの増大がなく、コスト上昇の原因にもならない。
【００２９】
また、噴射口５１は、図３（ａ）に示すように水槽３の前端壁３ｈの底部のほぼ中心位置に開口し、この噴射口５１と吐出側経路３１とを図３に示す樹脂製のダクト５５部によって接続してある。このダクト５５は前後部材５５ａ、５５ｂ二枚合せにして前後に扁平に形成してある。吐出側経路３１ｂは噴射口５１の開口位置に対し左右方向一方に偏って
循環ポンプ２０から水槽３の軸線とほぼ平行に前方へ延び、ダクト５５はパイプ状の吐出側経路３１ｂの前端と噴射口５１とを後部材５５ａ一端に一体形成した接続パイプ５５ｃで吐出側経路３１ｂにその延長部として接続され、この一端側から噴射口５１の下方近くにまでほぼ水平に延びた後、他端側が噴射口５１まで湾曲して立ち上がり、図３（ｃ）に示すように立ち上がり部５５ｄの後部材５５ａに一体成形した接続口５５ｅによって噴射口５１の水槽３の前端壁３ｈに開口する接続口５１ａにシール部材５６を介し接続しねじ５７でねじ止めし固定してある。このように、水槽３の前端壁３ｈの接続口５１ａとの接続端部５５ｄから水槽３の外周へ張り出し循環ポンプ２０側に接続されるダクト５５部を前後に扁平なものとしてあると、水槽３の前端壁３ｈと洗濯機本体２の前面壁との間に小さなスペースで配管できる。しかも、ダクト５５の扁平形状によって洗濯水に噴射口５１の開口などに見合う水流幅、水流厚みに整流して、接続口５１ａから噴射口５１に向かわせ流路５２に噴射されるようにし、環状出口５３からの大きな周方向吐出幅、前後方向に十分な吐出厚み、着水距離を大きくできる吐出速度域を、流れに乱れなく満足することができ、洗濯、すすぎ効果をさらに高められる。また、ダクト５５部が、水槽３の外周から前端壁３ｈ下部の噴射口５１の接続口５１ａ近くの下まで横方向に延び、そこから接続口までの湾曲した立ち上がり部にて接続口５１ａに接続されているため、扁平流に整流した洗濯水を立ち上がり部の湾曲形状にて乱すことなく接続口５１ａ、および扁平方向が一致した噴射口５１に導き、流路５２の周方向所定域に噴射させるので、環状出５３のより広域からより安定して吐出させられ、洗濯水の洗濯物への働きを高められる。
【００３０】
特に、噴射口５１は、水槽３の前端壁３ｈに開口する接続口５１ａからこれに平行で回転ドラム４の前端壁４ｂ側に寄って一体形成された受け止め壁５１ｃによって、接続口５１ａの口縁上部との間で環状出口５３に向け開口するように形成され、接続口５５ｄは受け止め壁５１ｃとの間で、噴射口５１に向け噴射通路をダクト５５側からアール面にて滑らかに絞る絞り壁５５ｆを備え、ダクト５５から噴射口５１に向かう洗濯水を加勢し、水槽３の前端壁３ｈの裏面の傾斜面３ｈ１および湾曲面３ｈ２に強く沿わせた高速流とするので、回転ドラム４内へ上方斜め後方に所定の経路で確実に吐出し左右に広がりながら放物線を描くより長い飛翔経路にて回転ドラム４内の洗濯物により広域から供与できるようになる。しかし、前記高速流とするための絞り通路はダクト５５の接続口５１ａへの接続端部と噴射口５１との間でどのように形成されてもよい。つまり、接続口５１ａに設けた噴射５１により流入する洗濯水を流路５２の側に案内するのに、吐出側経５１ｂの接続口５１への接続端部５５との簡単形状での合わせ形態により、周方向に大きな吐出流幅、前後方向に十分な吐出流厚み、着水距離を大きくできる吐出流速度など、洗濯物の多少にかかわらず好適に働く条件を満足する案内ができ、しかも、配管構造は特に複雑化せず漏水リスクの増大がなく、コスト上昇の原因にもならない。
【００３１】
また、回転ドラム４の前端壁４ｂには図３（ｃ）に示すように流路５２を傾斜面３ｈ１との間に絞り隙間Ｓを残して周方向に横切る環状のリブ状凸部４ｃが形成されている。さらに、このリブ状凸部４ｃはその位置が径方向に波打ち状に変化している。このため、リブ状凸部４ｃは回転ドラム４が回転すると噴射口５１近傍での流路５２に対する横切り位置、つまり絞り隙間Ｓの形成位置を図３（ｃ）に３つの具体的位置で示すように径方向に変位させる。この結果、流路５２を環状出口５３に向かう洗濯水流は環状出口５３近くで絞り隙間Ｓにより絞られる場合と、環状出口５３から遠い位置で絞り隙間Ｓに絞られる場合とで、回転ドラム４内に向かう角度が上下に振れるので、回転ドラム４の軸線方向の広域に洗濯水を振り分け洗濯物に供与することができる。
【００３２】
ここに、リブ状凸部４ｃは、回転ドラム４の前端壁３ｈ側に周方向に不均一に設けた吐出ガイドで、流路５２に噴射され環状出口５３から回転ドラム４内に吐出される洗濯水の吐出方向を前後に乱し、あるいは変化させ、吐出した洗濯水が回転ドラム４内への洗濯物に着水する位置が前後に乱し、または変化させるものといえ、このような吐出ガイドとし
ては、吐出ガイドは、周方向に波打ちした内周、周方向に前後に波打ちした壁面、前記流路側に突出し周方向に波打ちし、またはおよび断続したリブ状凸部または羽根、前記流路を通って噴射される洗濯水の通過抵抗を周方向に変化させる邪魔部、の少なくとも１つとして吐出方向を前後に乱しまたは変化させる作用を営むことができ、可能な限りそれらを複合して採用することができる。
【００３３】
これら放物線供与作用、前後振り分け作用によって洗濯水は洗濯物に前後方向にも偏りなく働き、洗剤の溶かし込効果、洗濯効果、すすぎ効果を高められる。
【００３４】
ところで、既述したように、洗濯水を噴射口５１から回転ドラム４内のみに単純に噴射するようにした場合、洗い工程の初期においては、洗剤が完全に溶解しきれていない洗濯水を直接、回転ドラム４内の洗濯物に噴射することになり、洗濯終了時において、洗濯物表面および内部に洗剤が溶け残る場合がある。また、すすぎ工程の初期に柔軟剤を投入する場合においても、濃度の濃い柔軟剤が直接、回転ドラム４内の洗濯物に噴射されることになり、この濃度の濃い柔軟材により、洗濯物にしみ等がつく場合もある。一方、それを防止するために、回転ドラム４の外部にも噴射できる特別な噴射ノズルを採用すると、配管構造がさらに複雑になり、さらなるコスト上昇の原因になる。
【００３５】
そこで、本実施の形態１では、水槽３内の水を循環ポンプ２０により循環させるのに、例えば回転速度制御が可能であるＤＣブラシレスモータを用いて、洗い工程、すすぎ工程の少なくとも１つの工程の開始時に、循環ポンプ２０の回転速度を噴射口５１から噴射した洗濯水が回転ドラム４内に入ることなく、図１の矢印ｂのように、受け止め壁５１ｃと回転ドラム４の前端壁表面４ｂとの間を通って、水槽３の下方に落下する回転速度に制御する水槽内循環工程を設けている。このときの循環ポンプ２０のモータ回転速度は、例えば１０００ｒｐｍに設定している。この水槽内循環工程を実行することで、回転ドラム４の外側にある水槽３と水循環系１６とで洗濯水を循環させることができる。
【００３６】
この結果、水槽内循環工程において、循環ポンプ２０により水槽３と水循環系１６とで洗濯水を循環させることで、洗剤や柔軟剤を早期に洗濯水に溶解し、その濃度を均一にすることができる。そして、洗濯水の濃度が均一になった後に、循環ポンプ２０の回転速度を、噴射口５１から吐出した洗濯水が回転ドラム４内の洗濯物に供給する回転速度に上昇させることで、洗剤や柔軟剤の効果を向上させるとともに、洗濯物への洗剤残りや高濃度の柔軟剤が直接洗濯物に付着することによるしみ等の発生を防止することができる。
【００３７】
また、洗い工程、すすぎ工程の少なくとも１つの工程の給水工程の初期においては、給水開始から水槽内循環工程を開始するまでに、例えば１０秒経過するか、もしくは水位が水槽３の下端から４０ｍｍ程度に到達するまでの遅延時間を設けることで、循環ポンプ２０内に十分な水が入っていない状態で循環ポンプ２０駆動することや、使用者が給水栓を開け忘れていた場合においては循環ポンプ２０内に水が全く無い状態で循環ポンプ２０を駆動し続けることを防ぐことができる。
【００３８】
これにより、循環ポンプ２０内の水が少ないことで起こる泡がみ音などの異音の発生や、循環ポンプ２０内に水が全く無い状態で循環ポンプ２０が長時間駆動し続けることによる異常温度上昇などを回避することができるので、循環ポンプの信頼性を向上させることができる。
【００３９】
また、本実施の形態１においては、風呂水を吸水して水槽３内に風呂水を供給する風呂水吸水手段７ｂを設けている。この風呂水吸水手段７ｂにより、風呂水を使用して運転する場合は、風呂水吸水手段７ｂの運転終了後に循環ポンプ２０を駆動することにより、風呂水吸水手段７ｂと循環ポンプ２０が同時に駆動することを防止する。
【００４０】
これにより、風呂水吸水手段７ｂと循環ポンプ２０の２つのモータが同時に駆動することで生じる通常よりも大きな駆動音を防止することができ、使用者に不快感を与えることを回避することができる。
【００４１】
また、本実施の形態１においては、予約運転を設定する予約運転設定手段（図示せず）を設けている。この予約運転設定手段により予約運転の設定を行った場合の運転時は、水槽内循環工程の時間を、予約運転を行わない場合と比べ、例えば２倍に長くすることで、予約待機中に固化しがちな洗剤を十分に溶解できる。
【００４２】
これにより、予約運転時も十分な洗浄力を得るとともに、洗濯物への洗剤残り等を回避することができる。
【００４３】
また、本実施の形態１においては、水槽３内の洗濯水の水温を検知する洗濯水温検知手段（図示せず）を設けている。この洗濯水温検知手段により、例えば５℃程度と水温が低いと判断された場合は、水槽内循環工程の時間を、例えば２０℃程度と水温が通常と判断された場合と比べ、例えば２倍程度に長くすることで、低水温時でも洗剤を十分に溶解することができる。
【００４４】
これにより、洗浄力が低下したり、洗濯物に洗剤残り等が起こりやすい水温が低い場合でも、十分な洗浄力を得るとともに、洗濯物への洗剤残り等を回避することができる。
【００４５】
なお、本実施の形態では、水槽３内の水を循環させるのに循環ポンプ２０を洗濯機本体２の底部である台板２ａ上に設置する構成としたが、これに限定されるものではなく、循環ポンプ２０を水槽３の下部３ｂに設置する構成でも良く、同等の効果を奏することができる。
【産業上の利用可能性】
【００４６】
本発明にかかるドラム式洗濯機は、洗い工程、すすぎ工程の少なくとも１つの工程の開始時に、循環ポンプの回転速度を洗濯水が回転ドラム内に入ることなく水槽の下方に落下する回転速度に制御する水槽内循環工程を設けたので、回転ドラム外の水槽内で洗剤や柔軟剤を早期に洗濯水に溶解しその濃度を均一にした後に、循環する洗濯水を回転ドラム内に供給するので、無用なコスト上昇を抑えつつ洗剤や柔軟材を早期に洗濯水に溶解させ、その後洗濯水を回転ドラム内に吐出供給するので、洗剤や柔軟剤の効果を向上させるとともに、洗濯物への洗剤残りやしみ等の発生を防止する効果を有し、有底円筒形に形成された回転ドラムを、開口する正面側から底部となる背面側に向けて回転軸方向が水平または水平方向から下向き傾斜となるようにして水槽内に設置し、回転ドラムを回転駆動することにより回転ドラム内に収容した洗濯物を洗濯するドラム式洗濯機として有用である。
【図面の簡単な説明】
【００４７】
【図１】本発明の実施の形態１に係るドラム式洗濯機の断面図
【図２】（ａ）同ドラム式洗濯機に用いた循環ポンプの断面図（ｂ）同ドラム式洗濯機に用いた循環ポンプの側面図（ｃ）同ドラム式洗濯機に用いた循環ポンプの下面図
【図３】（ａ）同ドラム式洗濯機の水循環経路の吐出側経路を水槽に接続するダクトを示す正面図（ｂ）同ドラム式洗濯機の水循環経路の吐出側経路を水槽に接続するダクトを示す横断面図（ｃ）同ドラム式洗濯機の水循環経路の吐出側経路を水槽に接続するダクトを示す縦断面図
【符号の説明】
【００４８】
３  水槽
３ｈ  前端壁
４ｂ  前端壁表面
２０  循環ポンプ
５１  噴射口